(57)【特許請求の範囲】
【請求項１】
冷媒回路（ＲＣ、ＲＣ１、ＲＣ２、ＲＣ３）において冷凍サイクルを行う冷凍装置（１００）であって、
熱源側熱交換器（２０）と、
利用側熱交換器（３２）と、
前記熱源側熱交換器及び前記利用側熱交換器間に配置されるガス側冷媒流路（ＧＬ）上に配置され、全閉状態となることで冷媒の流れを遮断する第１遮断弁（４１、４２、３４、８５ａ）と、
前記熱源側熱交換器及び前記利用側熱交換器間に配置される液側冷媒流路（ＬＬ）上に配置され、全閉状態となることで冷媒の流れを遮断する第２遮断弁（４３、３１、７０、８５ｂ）と、
前記第１遮断弁又は前記第２遮断弁と前記利用側熱交換器との間に配置される利用側冷媒流路（ＩＬ）内の冷媒の圧力を調整する圧力調整部（４４、４４´、４４´´、４４ａ）と、
を備え、
前記圧力調整部は、前記利用側冷媒流路内の冷媒を前記第１遮断弁又は前記第２遮断弁と前記熱源側熱交換器との間に配置される熱源側冷媒流路（ＯＬ）へバイパスさせるバイパス機構（４５、４６）を含む、
冷凍装置（１００）。
【請求項２】
前記圧力調整部は、前記利用側冷媒流路から前記熱源側冷媒流路へと延びるバイパス流路を形成するバイパス配管（Ｐ７、Ｐ７´、Ｐ８、Ｐ８´、Ｐ１１−Ｐ１４）をさらに含み、
前記バイパス機構は、前記バイパス流路上に配置され、前記利用側冷媒流路内の冷媒の圧力が所定の基準値以上となった場合に前記バイパス流路を開通させる圧力調整弁（４５、４６）である、
請求項１に記載の冷凍装置（１００）。
【請求項３】
前記圧力調整弁は、前記基準値以上の圧力を受けたときに冷媒を通過させる圧力感知機構を有する膨張弁（４５）である、
請求項２に記載の冷凍装置（１００）。
【請求項４】
前記バイパス流路は、前記利用側冷媒流路から、前記第１遮断弁と前記熱源側熱交換器との間に配置される熱源側第１冷媒流路（ＧＬ１、ＧＬ１´）へ延びる、
請求項２又は３に記載の冷凍装置（１００）。
【請求項５】
前記バイパス流路は、前記第２遮断弁と前記熱源側熱交換器との間に配置される熱源側第２冷媒流路（ＧＬ２、ＧＬ２´）へ延びる、
請求項２から４のいずれか１項に記載の冷凍装置（１００）。
【請求項６】
前記利用側熱交換器と前記第２遮断弁との間の冷媒流路に配置され、開度に応じて通過する冷媒を減圧する電動膨張弁（３１）をさらに備え、
前記電動膨張弁は、前記第１遮断弁および前記第２遮断弁が全閉状態となった場合であっても、冷媒を通過させる、
請求項１から５のいずれか１項に記載の冷凍装置（１００）。       
【請求項７】
前記熱源側熱交換器と前記第１遮断弁との間の冷媒流路に配置され、冷媒を圧縮する圧縮機（１５）と、
前記圧縮機の吸入側に配置され冷媒を貯留するアキュームレータ（１４）と、
をさらに備える、
請求項１から６のいずれか１項に記載の冷凍装置（１００）。
【請求項８】
前記熱源側熱交換器を配置される熱源ユニット（１０ａ）と、
前記利用側熱交換器をそれぞれ配置される複数の利用ユニット（３０´）と、
前記利用ユニットと前記熱源ユニットとの間に配置される前記ガス側冷媒流路（ＧＬ）上に配置され、対応する前記利用ユニットにおける冷媒の流れを遮断する第１遮断弁ユニット（８１）と、
をさらに備え、
前記第１遮断弁及び前記圧力調整部は、前記第１遮断弁ユニットに配置される、
請求項１から７のいずれか１項に記載の冷凍装置（１００）。
【請求項９】
前記熱源側熱交換器を配置される熱源ユニット（１０ａ）と、
前記利用側熱交換器をそれぞれ配置される複数の利用ユニット（３０´）と、
前記利用ユニットと前記熱源ユニットとの間に配置される前記ガス側冷媒流路（ＧＬ）上に配置され、対応する前記利用ユニットにおける冷媒の流れを遮断する第１遮断弁ユニット（８１）と、
前記利用ユニットと前記熱源ユニットとの間に配置される前記液側冷媒流路（ＬＬ）上に配置され、対応する前記利用ユニットにおける冷媒の流れを遮断する第２遮断弁ユニット（８２）と、
をさらに備え、
前記第１遮断弁は、前記第１遮断弁ユニットに配置され、
前記第２遮断弁は、前記第２遮断弁ユニットに配置され、
前記圧力調整部は、前記第１遮断弁ユニット若しくは前記第２遮断弁ユニットに配置される、又は前記第１遮断弁ユニット及び前記第２遮断弁ユニットのそれぞれに個別に配置される、
請求項１から７のいずれか１項に記載の冷凍装置（１００）。
【請求項１０】
前記熱源側熱交換器を配置される熱源ユニット（１０、１０´）と、
前記利用側熱交換器をそれぞれ配置され、前記熱源ユニットに対して並列に配置される複数の利用ユニット（３０）と、
対応する前記利用ユニットと前記熱源ユニットとの間に配置される前記ガス側冷媒流路（ＧＬ）及び前記液側冷媒流路（ＬＬ）上に配置され、対応する前記利用ユニットにおける冷媒の流れを切り換える冷媒流路切換ユニット（４０、４００、５００、６００、９０、９０´）と、
をさらに備え、
前記第１遮断弁、前記第２遮断弁及び前記圧力調整部は、前記冷媒流路切換ユニットに配置される、
請求項１から７のいずれか１項に記載の冷凍装置（１００）。
【請求項１１】
前記ガス側冷媒流路には、分岐して前記熱源ユニット及びいずれかの前記利用ユニット間に配置されるガス側分岐流路（ＧＬ１、ＧＬ１´、ＧＬ２、ＧＬ２´）が複数含まれ、
前記ガス側分岐流路には、低圧のガス冷媒が流れる第１ガス側分岐流路（ＧＬ１、ＧＬ１´）と、前記第１ガス側分岐流路から分岐して前記熱源ユニットまで延び低圧／高圧のガス冷媒が流れる第２ガス側分岐流路（ＧＬ２、ＧＬ２´）と、が含まれ、
前記第１遮断弁は、各前記ガス側分岐流路の前記第１ガス側分岐流路及び前記第２ガス側分岐流路のそれぞれに配置される、
請求項１０に記載の冷凍装置（１００）。
【請求項１２】
前記液側冷媒流路は、分岐して前記熱源ユニット及びいずれかの前記利用ユニット間に配置される液側分岐流路（ＬＬ１）を複数含み、
前記液側冷媒流路には、前記液側分岐流路の始点である液側分岐部分（ＢＰ３）が複数含まれ、
前記冷媒流路切換ユニット（９０、９０´）は、複数の前記利用ユニットである利用ユニット群に対応し、
前記第２遮断弁は、各前記液側分岐部分よりも前記熱源側熱交換器側に配置され、
前記バイパス機構は、前記第２遮断弁と各前記利用側熱交換器との間に配置される前記利用側冷媒流路内の冷媒を前記第１遮断弁又は前記第２遮断弁と前記熱源側熱交換器との間に配置される前記熱源側冷媒流路へバイパスさせる、
請求項１０又は１１に記載の冷凍装置（１００）。
【発明の詳細な説明】
【技術分野】
【０００１】
本開示は、冷凍装置に関する。
【背景技術】
【０００２】
従来、例えば、特許文献１（特許５５１７７８９号公報）に開示されるように、熱源側熱交換器及び複数の利用側熱交換器を含む冷媒回路において、熱源側熱交換器及び利用側熱交換器間に配置されるガス側冷媒流路及び液側冷媒流路のそれぞれに冷媒の流れを切り換える切換弁を有し、各切換弁の状態を個別に制御することで各利用側熱交換器への冷媒の流れ方向を個別に切り換える冷凍装置が知られている。
【発明の開示】
【発明が解決しようとする課題】
【０００３】
しかし、特許文献１のように、熱源側熱交換器と各利用側熱交換器との間のガス側冷媒流路及び液側冷媒流路において遮断弁をそれぞれ含む冷凍装置では、各遮断弁が同時に全閉状態（冷媒の流れを遮断する状態）となることが考えられる。例えば、特許文献１では、冷媒漏洩が検知された場合には、ガス側冷媒流路及び液側冷媒流路に配置される各遮断弁が同時に全閉状態に制御される。また例えば、停電等の電源供給異常や切換弁の動作不良等に起因して各遮断弁が同時に全閉状態となることも考えられる。【０００４】
上述のような冷凍装置においてガス側冷媒流路及び液側冷媒流路に配置される各遮断弁が同時に全閉状態となると、利用側熱交換器と各遮断弁との間に配置される冷媒流路において冷媒の流れが遮断され液封回路が形成されうる。液封回路が形成された場合、液封回路内の冷媒の状態変化に応じて配管や機器の損傷が生じうるため、信頼性低下を招く。【０００５】
信頼性低下を抑制する冷凍装置を提供することである。
【課題を解決するための手段】
【０００６】
本開示に係る冷凍装置は、冷媒回路において冷凍サイクルを行う冷凍装置であって、熱源側熱交換器と、利用側熱交換器と、第１遮断弁と、第２遮断弁と、圧力調整部と、を備える。第１遮断弁は、ガス側冷媒流路上に配置される。ガス側冷媒流路は、熱源側熱交換器及び利用側熱交換器間に配置される。第１遮断弁は、全閉状態となることで冷媒の流れを遮断する。第２遮断弁は、液側冷媒流路上に配置される。液側冷媒流路は、熱源側熱交換器及び利用側熱交換器間に配置される。第２遮断弁は、全閉状態となることで冷媒の流れを遮断する。圧力調整部は、利用側冷媒流路内の冷媒の圧力を調整する。利用側冷媒流路は、第１遮断弁又は第２遮断弁と利用側熱交換器との間に配置される。圧力調整部は、バイパス機構を含む。バイパス機構は、利用側冷媒流路内の冷媒を熱源側冷媒流路へバイパスさせる。熱源側冷媒流路は、第１遮断弁又は第２遮断弁と熱源側熱交換器との間に配置される。【０００７】
これにより、流路切換ユニットにおいて第１遮断弁及び第２遮断弁が同時に全閉状態なった場合であっても、熱源側熱交換器及び利用側熱交換器間における利用側冷媒流路において冷媒の流れが遮断されることが抑制され、液封回路が形成されることが抑制される。よって、信頼性低下が抑制される。【０００８】
冷凍装置では、好ましくは、圧力調整部は、バイパス配管をさらに含む。バイパス配管は、バイパス流路を形成する。バイパス流路は、利用側冷媒流路から熱源側冷媒流路へと延びる冷媒流路である。バイパス機構は、バイパス流路上に配置される。バイパス機構は、利用側冷媒流路内の冷媒の圧力が所定の基準値以上となった場合に、バイパス流路を開通させる圧力調整弁である。これにより、簡単な構成にして圧力調整部を構成することが可能となる。よって、コスト増大を抑制しつつ信頼性低下が抑制される。なお、ここでの「所定の基準値」は、利用側冷媒流路を構成する配管や機器の損傷を招く可能性のある圧力に相当する値であり、利用側冷媒流路を構成する配管及び機器の仕様（容量及び型式等）や配置態様に応じて適宜選定される。【０００９】
冷凍装置では、好ましくは、圧力調整弁は、圧力感知機構を有する膨張弁である。圧力感知機構は、基準値以上の圧力を受けたときに冷媒を通過させる。これにより、特に簡単な構成にして圧力調整部を構成することが可能となる。よって、コスト増大を抑制しつつ信頼性低下が抑制される。【００１０】
冷凍装置では、好ましくは、バイパス流路は、利用側冷媒流路から熱源側第１冷媒流路へ延びる。熱源側第１冷媒流路は、第１遮断弁と熱源側熱交換器との間に配置される冷媒流路である。これにより、冷凍装置において各遮断弁が同時に全閉状態となった場合であっても、利用側冷媒流路内の冷媒が熱源側第１冷媒流路へバイパスされる。【００１１】
冷凍装置では、好ましくは、バイパス流路は、熱源側第２冷媒流路へ延びる。熱源側第２冷媒流路は、第２遮断弁と熱源側熱交換器との間に配置される冷媒流路である。これにより、冷媒流路切換ユニットにおいて各遮断弁が同時に全閉状態となった場合であっても、利用側冷媒流路内の冷媒が熱源側第２冷媒流路へバイパスされる。【００１２】
冷凍装置は、好ましくは、電動膨張弁をさらに備える。電動膨張弁は、利用側熱交換器と第２遮断弁との間の冷媒流路に配置される。電動膨張弁は、開度に応じて通過する冷媒を減圧する。電動膨張弁は、第１遮断弁および第２遮断弁が全閉状態となった場合であっても、冷媒を通過させる。これにより、各遮断弁が同時に全閉状態となった場合であっても、利用ユニット内の電動膨張弁の状態に関わらず、利用側冷媒流路において冷媒の流れが遮断され液封回路が形成されることが抑制される。特に、施工現場において、第２遮断弁と利用ユニット内の電動膨張弁との距離は小さいことが一般的であり、また第２遮断弁と利用ユニット内の電動膨張弁との間の冷媒流路は通常運転時に液冷媒（気液二相冷媒を含む）が流れることから、両者が同時に全閉状態となった場合には当該冷媒流路で液封回路が形成されやすいが、係る態様で液封回路が形成されることが抑制される。よって、信頼性低下が抑制される。【００１３】
冷凍装置では、好ましくは、圧縮機と、アキュームレータと、をさらに備える。圧縮機は、熱源側熱交換器と第１遮断弁との間の冷媒流路に配置される。圧縮機は、冷媒を圧縮する。アキュームレータは、圧縮機の吸入側に配置される。アキュームレータは、冷媒を貯留する。これにより、冷凍装置において各遮断弁が同時に全閉状態となった場合に、バイパスされた冷媒がアキュームレータにおいて貯留される。よって、圧縮機に液冷媒が吸入される液バック現象が抑制される。【００１４】
冷凍装置では、好ましくは、熱源ユニットと、複数の利用ユニットと、第１遮断弁ユニットと、をさらに備える。熱源ユニットは、熱源側熱交換器を配置される。利用ユニットは、利用側熱交換器をそれぞれ配置される。第１遮断弁ユニットは、ガス側冷媒流路上に配置される。ガス側冷媒流路は、利用ユニットと熱源ユニットとの間に配置される。第１遮断弁ユニットは、対応する利用ユニットにおける冷媒の流れを遮断する。第１遮断弁は、第１遮断弁ユニットに配置される。圧力調整部は、第１遮断弁ユニットに配置される。これにより、熱源ユニット及び各利用ユニット間に配置される冷媒流路上に配置される遮断弁ユニットより利用側の回路において、液封回路が形成されることが抑制され、信頼性低下が抑制される。【００１５】
冷凍装置では、好ましくは、熱源ユニットと、複数の利用ユニットと、第１遮断弁ユニットと、第２遮断弁ユニットと、をさらに備える。熱源ユニットは、熱源側熱交換器を配置される。利用ユニットは、利用側熱交換器をそれぞれ配置される。第１遮断弁ユニットは、ガス側冷媒流路上に配置される。ガス側冷媒流路は、利用ユニットと熱源ユニットとの間に配置される。第１遮断弁ユニットは、対応する利用ユニットにおける冷媒の流れを遮断する。第２遮断弁ユニットは、液側冷媒流路上に配置される。液側冷媒流路は、利用ユニットと熱源ユニットとの間に配置される。第２遮断弁ユニットは、対応する利用ユニットにおける冷媒の流れを遮断する。第１遮断弁は、第１遮断弁ユニットに配置される。第２遮断弁は、第２遮断弁ユニットに配置される。圧力調整部は、第１遮断弁ユニット若しくは第２遮断弁ユニットに配置される、又は第１遮断弁ユニット及び第２遮断弁ユニットのそれぞれに個別に配置される。これにより、熱源ユニット及び各利用ユニット間に配置される冷媒流路上に配置される遮断弁ユニットより利用側の回路において、液封回路が形成されることが抑制され、信頼性低下が抑制される。【００１６】
冷凍装置は、好ましくは、熱源ユニットと、複数の利用ユニットと、冷媒流路切換ユニットと、をさらに備える。熱源ユニットは、熱源側熱交換器を配置される。複数の利用ユニットは、利用側熱交換器をそれぞれ配置される。複数の利用ユニットは、熱源ユニットに対して並列に配置される。冷媒流路切換ユニットは、ガス側冷媒流路及び液側冷媒流路上に配置される。ガス側冷媒流路は、対応する利用ユニットと熱源ユニットとの間に配置される。液側冷媒流路は、対応する利用ユニットと熱源ユニットとの間に配置される。冷媒流路切換ユニットは、対応する利用ユニットにおける冷媒の流れを切り換える。第１遮断弁は、冷媒流路切換ユニットに配置される。第２遮断弁は、冷媒流路切換ユニットに配置される。圧力調整部は、冷媒流路切換ユニットに配置される。これにより、熱源ユニット及び各利用ユニット間に配置される冷媒流路上に配置される冷媒流路切換ユニットにおいて、液封回路が形成されることが抑制され、信頼性低下が抑制される。【００１７】
冷凍装置は、好ましくは、ガス側冷媒流路には、ガス側分岐流路が複数含まれる。ガス側分岐流路は、分岐して熱源ユニット及びいずれかの利用ユニット間に配置される。ガス側分岐流路には、第１ガス側分岐流路と、第２ガス側分岐流路と、が含まれる。第１ガス側分岐流路は、低圧のガス冷媒が流れる。第２ガス側分岐流路は、第１ガス側分岐流路から分岐して熱源ユニットまで延びる。第２ガス側分岐流路は、低圧／高圧のガス冷媒が流れる。第１遮断弁は、各ガス側分岐流路の第１ガス側分岐流路及び第２ガス側分岐流路のそれぞれに配置される。これにより、熱源ユニット及び各利用ユニット間に配置される３つの冷媒流路（第１ガス側分岐流路、第２ガス側分岐流路、及び液側冷媒流路）上に冷媒流路切換ユニットが配置される場合においても液封回路が形成されることが抑制され、信頼性低下が抑制される。【００１８】
冷凍装置は、好ましくは、液側冷媒流路は、液側分岐流路を複数含む。液側分岐流路は、分岐して熱源ユニット及びいずれかの利用ユニット間に配置される。液側冷媒流路には、液側分岐部分が複数含まれる。液側分岐部分は、液側分岐流路の始点である。冷媒流路切換ユニットは、利用ユニット群に対応する。利用ユニット群は、複数の利用ユニットである。第２遮断弁は、各分岐部分よりも熱源側熱交換器側に配置される。バイパス機構は、利用側冷媒流路内の冷媒を熱源側冷媒流路へバイパスさせる。利用側冷媒流路は、第２遮断弁と各利用側熱交換器との間に配置される。熱源側冷媒流路は、第１遮断弁又は第２遮断弁と熱源側熱交換器との間に配置される。これにより、第２遮断弁及び圧力調整部の数を削減することが可能となり、コスト増大が抑制される。
【図面の簡単な説明】
【００１９】
【図１】本開示の一実施形態に係る空調システムの全体構成図。
【図２】室外ユニット内の冷媒回路図。
【図３】室内ユニット及び中間ユニット内の冷媒回路図。
【図４】変形例２に係るバイパス流路を含む冷媒回路図。
【図５】変形例３に係るバイパス流路を含む冷媒回路図。
【図６】変形例４に係るバイパス流路を含む冷媒回路図。
【図７】変形例５に係る冷媒回路図。
【図８】変形例７に係る他の例の冷媒回路図。
【図９】変形例８に係る空調システムの全体構成図。
【図１０】変形例８に係る室内ユニット及び中間ユニット内の冷媒回路図。
【図１１】変形例８に係る他の例の室内ユニット及び中間ユニット内の冷媒回路図。
【図１２】変形例９に係る冷媒回路図。
【図１３】変形例１０に係る冷媒回路図。
【図１４】変形例１１に係る冷媒回路図。
【発明を実施するための形態】
【００２０】
以下、図面を参照しながら、本開示の一実施形態に係る空調システム１００（「冷凍装置」に相当）について説明する。なお、以下の実施形態は、本開示の具体例であって、技術的範囲を限定するものではなく、要旨を逸脱しない範囲で適宜変更が可能である。
【００２１】
（１）空調システム１００
図１は、空調システム１００の全体構成図である。空調システム１００は、ビルや工場等に設置されて対象空間の空気調和を実現する。空調システム１００は、冷媒配管方式の空調システムであって、冷媒回路ＲＣにおいて冷凍サイクルを行うことにより、対象空間の冷房や暖房などを行う。
【００２２】
空調システム１００は、主として、熱源ユニットとしての１台の室外ユニット１０と、利用ユニットとしての複数の室内ユニット３０（３０ａ、３０ｂ、３０ｃ、・・・）と、室外ユニット１０及び室内ユニット３０間における冷媒の流れを切り換える複数の中間ユニット４０（４０ａ、４０ｂ、４０ｃ、・・・）と、室外ユニット１０及び中間ユニット４０の間で延びる室外側連絡配管５０（第１連絡管５１、第２連絡管５２、及び第３連絡管５３）と、室内ユニット３０及び中間ユニット４０の間で延びる複数の室内側連絡配管６０（液側連絡管ＬＰ及びガス側連絡管ＧＰ）と、を有している。
【００２３】
空調システム１００では、中間ユニット４０（「冷媒流路切換ユニット」に相当）が、いずれかの室内ユニット３０と対応付けられており、対応する室内ユニット３０における冷媒の流れを切り換える。これにより、空調システム１００では、各室内ユニット３０が冷房運転及び暖房運転等の運転種別を個別に切り換えられる。すなわち、空調システム１００は、室内ユニット３０毎に冷房運転及び暖房運転を個別に選択可能ないわゆる冷暖フリータイプである。なお、各室内ユニット３０は、図示しないリモートコントロール装置を介して、運転種別や設定温度等の各種設定項目の切換えに係るコマンドを入力される。
【００２４】
以下の説明においては、説明の便宜上、冷房運転中の室内ユニット３０を「冷房室内ユニット３０」と称し、暖房運転中の室内ユニット３０を「暖房室内ユニット３０」と称し、運転停止状態又は運転休止状態の室内ユニット３０を「停止室内ユニット３０」と称する。
【００２５】
空調システム１００では、室外ユニット１０と各中間ユニット４０とが室外側連絡配管５０で個別に接続され、各中間ユニット４０と対応する室内ユニット３０とが各室内側連絡配管６０で接続されることで、冷媒回路ＲＣが構成されている。具体的に、室外ユニット１０と各中間ユニット４０とは、室外側連絡配管５０としての第１連絡管５１、第２連絡管５２、及び第３連絡管５３で接続されている。また、いずれかの室内ユニット３０といずれかの中間ユニット４０とは、室内側連絡配管６０としてのガス側連絡管ＧＰ及び液側連絡管ＬＰで接続されている。換言すると、冷媒回路ＲＣには、１台の室外ユニット１０と、複数台の室内ユニット３０と、複数台の中間ユニット４０と、が含まれている。
【００２６】
空調システム１００では、冷媒回路ＲＣ内に封入された冷媒が、圧縮され、冷却又は凝縮され、減圧され、加熱又は蒸発された後に、再び圧縮される、という蒸気圧縮冷凍サイクルが行われる。冷媒回路ＲＣに充填される冷媒は、特に限定されないが、例えばＲ３２冷媒が充填されている。
【００２７】
空調システム１００では、室外ユニット１０及び中間ユニット４０間で延びる第３連絡管５３において、冷媒が気液二相状態で搬送される気液二相搬送が行われる。より詳細には、室外ユニット１０及び中間ユニット４０間で延びる第３連絡管５３において搬送される冷媒に関し、液状態で搬送される場合と比較して、気液二相状態で搬送される場合のほうが、能力低下が抑制されつつ少ない冷媒充填量で運転を行うことが可能となることに鑑みて、空調システム１００は、省冷媒を実現するために第３連絡管５３において気液二相搬送が行われるように構成されている。
【００２８】
空調システム１００では、運転中、全冷房状態、全暖房状態、冷房主体状態、暖房主体状態、及び冷暖均衡状態のいずれかに運転状態が遷移する。全冷房状態は、運転中の全ての室内ユニット３０が冷房室内ユニット３０である状態（すなわち、運転中の室内ユニット３０の全てが冷房運転を行っている状態）である。全暖房状態は、運転中の全ての室内ユニット３０が暖房室内ユニット３０である状態（すなわち、運転中の室内ユニット３０の全てが暖房運転を行っている状態）である。
【００２９】
冷房主体状態は、全ての冷房室内ユニット３０の熱負荷が、全ての暖房室内ユニット３０の熱負荷よりも大きいと想定される状態である。暖房主体状態は、全ての暖房室内ユニット３０の熱負荷が、全ての冷房室内ユニット３０の熱負荷よりも大きいと想定される状態である。冷暖均衡状態は、全ての冷房室内ユニット３０の熱負荷と、全ての暖房室内ユニット３０の熱負荷と、が均衡していると想定される状態である。
【００３０】
（１−１）室外ユニット１０（熱源ユニット）
図２は、室外ユニット１０内の冷媒回路図である。室外ユニット１０は、例えば建物の屋上やベランダ等の屋外、又は地下等の室外（対象空間外）に設置される。室外ユニット１０は、主として、ガス側第１閉鎖弁１１と、ガス側第２閉鎖弁１２と、液側閉鎖弁１３と、アキュームレータ１４と、圧縮機１５と、第１流路切換弁１６と、第２流路切換弁１７と、第３流路切換弁１８と、室外熱交換器２０と、第１室外制御弁２３と、第２室外制御弁２４と、第３室外制御弁２５と、第４室外制御弁２６と、過冷却熱交換器２７と、を有している。室外ユニット１０では、これらの機器がケーシング内に配置され、冷媒配管を介して互いに接続されることで冷媒回路ＲＣの一部が構成されている。また、室外ユニット１０は、室外ファン２８及び室外ユニット制御部（図示省略）を有している。
【００３１】
ガス側第１閉鎖弁１１、ガス側第２閉鎖弁１２及び液側閉鎖弁１３は、冷媒の充填やポンプダウン等の際に開閉される手動の弁である。
【００３２】
ガス側第１閉鎖弁１１は、一端が第１連絡管５１に接続され、他端がアキュームレータ１４まで延びる冷媒配管に接続されている。ガス側第２閉鎖弁１２は、一端が第２連絡管５２に接続され、他端が第３流路切換弁１８まで延びる冷媒配管に接続されている。ガス側第１閉鎖弁１１及びガス側第２閉鎖弁１２は、室外ユニット１０においてガス冷媒の出入口（ガス側出入口）として機能する。
【００３３】
液側閉鎖弁１３は、一端が第３連絡管５３に接続され、他端が第３室外制御弁２５まで延びる冷媒配管に接続されている。液側閉鎖弁１３は、室外ユニット１０において液冷媒又は気液二相冷媒の出入口（液側出入口）として機能する。
【００３４】
アキュームレータ１４は、圧縮機１５に吸入される低圧冷媒を一時的に貯留し気液分離するための容器である。アキュームレータ１４の内部では、気液二相状態の冷媒がガス冷媒と液冷媒とに分離される。アキュームレータ１４は、ガス側第１閉鎖弁１１と圧縮機１５との間（すなわち圧縮機１５の吸入側）に配置されている。アキュームレータ１４の冷媒出入口には、ガス側第１閉鎖弁１１から延びる冷媒配管が接続されている。アキュームレータ１４の冷媒流出口には、圧縮機１５まで延びる吸入配管Ｐａが接続されている。
【００３５】
圧縮機１５は、圧縮機用モータ（図示省略）を内蔵する密閉式の構造を有しており、例えばスクロール方式やロータリ方式等の圧縮機構を有する容積式の圧縮機である。なお、圧縮機１５は、本実施形態において１台のみであるが、これに限定されず、２台以上の圧縮機１５が直列或いは並列に接続されていてもよい。圧縮機１５の吸入口（図示省略）には、吸入配管Ｐａが接続されている。圧縮機１５の吐出口（図示省略）には、吐出配管Ｐｂが接続されている。圧縮機１５は、吸入配管Ｐａを介して吸入した低圧冷媒を圧縮し、吐出配管Ｐｂへ吐出する。
【００３６】
圧縮機１５は、吸入側において、吸入配管Ｐａ、アキュームレータ１４、ガス側第１閉鎖弁１１及び第１連絡管５１等を介して各中間ユニット４０と連通している。また、圧縮機１５は、吸入側又は吐出側において、吸入配管Ｐａ、アキュームレータ１４、ガス側第２閉鎖弁１２、及び第２連絡管５２等を介して各中間ユニット４０と連通している。また、圧縮機１５は、吐出側又は吸入側において、吐出配管Ｐｂ、第１流路切換弁１６及び第２流路切換弁１７等を介して室外熱交換器２０に連通している。すなわち、圧縮機１５は、各中間ユニット４０（第１制御弁４１、第２制御弁４２）と室外熱交換器２０との間に配置されている。
【００３７】
第１流路切換弁１６、第２流路切換弁１７及び第３流路切換弁１８（以下、これらをまとめて「流路切換弁１９」と称する）は、四路切換弁であり、状況に応じて冷媒の流れを切り換えている（図２の流路切換弁１９内の実線及び破線を参照）。流路切換弁１９の冷媒出入口には、吐出配管Ｐｂ又は吐出配管Ｐｂから延びる分岐管が接続されている。また、流路切換弁１９は、運転時において、一の冷媒流路における冷媒の流れが遮断されるように構成されており、事実上、三方弁として機能している。流路切換弁１９は、圧縮機１５の吐出側（吐出配管Ｐｂ）から送られる冷媒を、下流側へと送る第１流路状態（図２の流路切換弁１９内の実線を参照）と、閉塞させる第２流路状態（図２の流路切換弁１９内の破線を参照）と、を切り換えられる。
【００３８】
第１流路切換弁１６は、室外熱交換器２０の第１室外熱交換器２１（後述）の冷媒の入口側／出口側に配置されている。第１流路切換弁１６は、第１流路状態となると、圧縮機１５の吐出側と第１室外熱交換器２１のガス側出入口とを連通させ（図２の第１流路切換弁１６内の実線を参照）、第２流路状態となると圧縮機１５の吸入側（アキュームレータ１４）と第１室外熱交換器２１のガス側出入口とを連通させる（図２の第１流路切換弁１６内の破線を参照）。
【００３９】
第２流路切換弁１７は、室外熱交換器２０の第２室外熱交換器２２（後述）の冷媒の入口側／出口側に配置されている。第２流路切換弁１７は、第１流路状態となると圧縮機１５の吐出側と第２室外熱交換器２２のガス側出入口とを連通させ（図２の第２流路切換弁１７内の実線を参照）、第２流路状態となると圧縮機１５の吸入側（アキュームレータ１４）と第２室外熱交換器２２のガス側出入口とを連通させる（図２の第２流路切換弁１７内の破線を参照）。
【００４０】
第３流路切換弁１８は、第１流路状態となると、圧縮機１５の吐出側とガス側第２閉鎖弁１２とを連通させ（図２の第３流路切換弁１８内の実線を参照）、第２流路状態となると圧縮機１５の吸入側（アキュームレータ１４）とガス側第２閉鎖弁１２とを連通させる（図２の第３流路切換弁１８内の破線を参照）。
【００４１】
室外熱交換器２０は、クロスフィン型式や積層型式等の熱交換器であり、冷媒が通過する伝熱管（図示省略）を含んでいる。室外熱交換器２０は、冷媒の流れに応じて、冷媒の凝縮器及び／又は蒸発器として機能する。より具体的には、室外熱交換器２０は、第１室外熱交換器２１と、第２室外熱交換器２２とを含んでいる。
【００４２】
第１室外熱交換器２１は、第１流路切換弁１６に接続される冷媒配管がガス側の冷媒出入口に接続され、第１室外制御弁２３まで延びる冷媒配管が液側の冷媒出入口に接続されている。第２室外熱交換器２２は、第２流路切換弁１７に接続される冷媒配管がガス側の冷媒出入口に接続され、第２室外制御弁２４まで延びる冷媒配管が液側の冷媒出入口に接続されている。第１室外熱交換器２１及び第２室外熱交換器２２を通過する冷媒は、室外ファン２８が生成する空気流と熱交換する。
【００４３】
第１室外制御弁２３、第２室外制御弁２４、第３室外制御弁２５及び第４室外制御弁２６は、例えば開度調整が可能な電動弁である。第１室外制御弁２３、第２室外制御弁２４、第３室外制御弁２５及び第４室外制御弁２６は、状況に応じて開度が調整され、内部を通過する冷媒をその開度に応じて減圧する、若しくは通過する冷媒流量を増減させる。
【００４４】
第１室外制御弁２３は、第１室外熱交換器２１から延びる冷媒配管が一端に接続され、過冷却熱交換器２７の第１流路２７１（後述）の一端まで延びる液側配管Ｐｃが他端に接続されている。第２室外制御弁２４は、第２室外熱交換器２２から延びる冷媒配管が一端に接続され、過冷却熱交換器２７の第１流路２７１の一端まで延びる液側配管Ｐｃが他端に接続されている。なお、液側配管Ｐｃは、一端が二手に分岐しており、第１室外制御弁２３及び第２室外制御弁２４のそれぞれに個別に接続されている。
【００４５】
第３室外制御弁２５（減圧弁）は、過冷却熱交換器２７の第１流路２７１の他端まで延びる冷媒配管が一端に接続され、他端が液側閉鎖弁１３まで延びる冷媒配管に接続されている。すなわち、第３室外制御弁２５は、室外熱交換器２０と第３連絡管５３の間に配置されている。なお、後述するが、第３室外制御弁２５は、空調システム１００の運転状態が全冷房状態、冷房主体状態、及び冷暖均衡状態のいずれかとなった場合には、第３連絡管５３における気液二相搬送が実現されるべく、二相搬送開度に制御される。二相搬送開度は、流入する冷媒を、第３連絡管５３において冷媒が気液二相状態で搬送される際に適していると想定される冷媒の圧力に、減圧する開度である。すなわち、二相搬送開度は、第３連絡管５３における気液二相搬送に適した開度である。
【００４６】
第４室外制御弁２６は、液側配管Ｐｃの両端間において分岐する分岐管が一端に接続され、過冷却熱交換器２７の第２流路２７２（後述）の一端まで延びる冷媒配管が他端に接続されている。
【００４７】
過冷却熱交換器２７は、室外熱交換器２０から流出した冷媒を過冷却状態の液冷媒とするための熱交換器である。過冷却熱交換器２７は、例えば二重管型熱交換器である。過冷却熱交換器２７は、第１流路２７１及び第２流路２７２を形成されている。より詳細には、過冷却熱交換器２７は、第１流路２７１を流れる冷媒と、第２流路２７２を流れる冷媒と、が熱交換しうる構造を有している。第１流路２７１は、一端が液側配管Ｐｃの他端に接続され、他端が第３室外制御弁２５まで延びる冷媒配管に接続されている。第２流路２７２は、一端が第４室外制御弁２６まで延びる冷媒配管に接続され、他端がアキュームレータ１４まで延びる冷媒配管（より詳細には、アキュームレータ１４と、第１流路切換弁１６又はガス側第１閉鎖弁１１と、の間で延びる冷媒配管）に接続されている。
【００４８】
室外ファン２８は、例えばプロペラファンであり、駆動源である室外ファン用モータ（図示省略）を含む。室外ファン２８が駆動すると、室外ユニット１０内に流入し室外熱交換器２０を通過して室外ユニット１０外へ流出する空気流が生成される。
【００４９】
室外ユニット制御部は、ＣＰＵやメモリ等で構成されるマイクロコンピュータを含む。室外ユニット制御部は、通信線（図示省略）を介して、室内ユニット制御部（後述）及び中間ユニット制御部（後述）と、相互に信号の送受信を行う。室外ユニット制御部は、状況に応じて、室外ユニット１０に含まれる各種機器の動作や状態（例えば、圧縮機１５及び室外ファン２８の発停や回転数、又は各種弁の開度の切換え等）を制御している。
【００５０】
また、図２において図示は省略するが、室外ユニット１０には、冷媒回路ＲＣ内の冷媒の状態（圧力又は温度）を検出する各種センサが配置されている。
【００５１】
（１−２）室内ユニット３０（利用ユニット）
図３は、室内ユニット３０及び中間ユニット４０内の冷媒回路図である。室内ユニット３０の型式は、特に限定されないが、例えば天井裏の空間に設置される天井設置型である。空調システム１００は、室外ユニット１０に対して並列に配置される複数（ｎ台）の室内ユニット３０（３０ａ、３０ｂ、３０ｃ、・・・）を有している。
【００５２】
各室内ユニット３０は、室内膨張弁３１と、室内熱交換器３２と、をそれぞれ有している。各室内ユニット３０では、これらの機器がケーシング内に配置され、互いに冷媒配管によって接続されることで冷媒回路ＲＣの一部が構成されている。また、各室内ユニット３０は、室内ファン３３及び室内ユニット制御部（図示省略）を有している。
【００５３】
室内膨張弁３１（特許請求の範囲記載の「電動膨張弁」に相当）は、開度調整が可能な電動式の膨張弁である。室内膨張弁３１は、その一端が液側連絡管ＬＰに接続され、他端が室内熱交換器３２まで延びる冷媒配管に接続されている。すなわち、室内膨張弁３１は、室内熱交換器３２と第３連絡管５３の間に配置されている。換言すると、室内膨張弁３１は、室内熱交換器３２と中間ユニット４０内の第３制御弁４３との間の冷媒流路に配置されている。室内膨張弁３１は、その開度に応じて、通過する冷媒を減圧する。本実施形態において、室内膨張弁３１は、閉状態（最小開度）の場合に、微量の冷媒を通過させる微小流路を形成する微開状態となる。このため、室内膨張弁３１は、冷媒回路ＲＣにおいて、後述する中間ユニット４０の第１制御弁４１、第２制御弁４２及び第３制御弁４３が全閉状態となった場合でも、冷媒を通過させる。
【００５４】
室内熱交換器３２（特許請求の範囲記載の「利用側熱交換器」に相当）は、例えばクロスフィン型式や積層型式の熱交換器であり、冷媒が通過する伝熱管（図示省略）を含んでいる。室内熱交換器３２は、冷媒の流れに応じて、冷媒の蒸発器又は凝縮器として機能する。室内熱交換器３２は、液側の冷媒出入口に室内膨張弁３１から延びる冷媒配管が接続され、ガス側の冷媒出入口にガス側連絡管ＧＰが接続されている。室内熱交換器３２に流入した冷媒は、伝熱管を通過する際、室内ファン３３が生成する空気流と熱交換する。
【００５５】
室内熱交換器３２は、対応する中間ユニット４０内における制御弁（４１、４２、４３）の状態（開閉状態）、及び室外ユニット１０における各流路切換弁１９（１６、１７、１８）の状態（流路状態）に応じて、流入する冷媒流れの上流側と下流側とが切り換わり、冷媒の蒸発器として機能する状態と凝縮器として機能する状態とが切り換わる。
【００５６】
室内ファン３３は、例えばターボファン等の遠心ファンである。室内ファン３３は、駆動源である室内ファン用モータ（図示省略）を含む。室内ファン３３が駆動すると、対象空間から室内ユニット３０内部に流入して室内熱交換器３２を通過してから対象空間へ流出する空気流が生成される。
【００５７】
室内ユニット制御部は、ＣＰＵやメモリ等で構成されるマイクロコンピュータを含む。室内ユニット制御部は、リモートコントローラ（図示省略）を介して、ユーザの指示を入力され、当該指示に応じて、室内ユニット３０に含まれる各種機器の動作や状態（例えば室内ファン３３の回転数や室内膨張弁３１の開度）を制御する。また、室内ユニット制御部は、通信線（図示省略）を介して室外ユニット制御部及び中間ユニット制御部（後述）と接続されており、相互に信号の送受信を行う。また、室内ユニット制御部は、有線通信や無線通信によってリモートコントローラと通信を行う通信モジュールを含み、リモートコントローラと相互に信号の送受信を行う。
【００５８】
また、図示は省略するが、室内ユニット３０は、室内熱交換器３２を通過する冷媒の過熱度／過冷却度を検出する温度センサ、及び室内ファン３３によって取り込まれる対象空間の空気の温度（室内温度）等を検出する温度センサ等、各種センサを有している。
【００５９】
（１−３）中間ユニット４０（冷媒流路切換ユニット）
空調システム１００では、複数（ここでは、室内ユニット３０の台数と同数）の中間ユニット４０（４０ａ、４０ｂ、４０ｃ、・・・）を有している。本実施形態において、各中間ユニット４０は、いずれかの室内ユニット３０と１対１に対応付けられている。各中間ユニット４０は、対応する室内ユニット３０（以下、「対応室内ユニット３０」と記載）と、室外ユニット１０と、の間で構成されるガス側冷媒流路ＧＬ（後述）及び液側冷媒流路ＬＬ（後述）上に配置され、対応室内ユニットへ流入する冷媒の流れを切り換えている。
【００６０】
各中間ユニット４０は、図３に示すように、複数の冷媒配管（第１配管Ｐ１−第８配管Ｐ８）と、複数の制御弁（第１制御弁４１、第２制御弁４２及び第３制御弁４３）と、圧力調整部４４と、をそれぞれ有している。中間ユニット４０では、これらの機器がケーシング内に配置され、冷媒配管を介して互いに接続されることで冷媒回路ＲＣの一部が構成されている。
【００６１】
第１配管Ｐ１は、一端が液側連絡管ＬＰに接続され、他端が第３制御弁４３に接続されている。第２配管Ｐ２は、一端が第３制御弁４３に接続され、他端が第３連絡管５３に接続されている。第３配管Ｐ３は、一端がガス側連絡管ＧＰに接続され、他端が第１制御弁４１に接続されている。第４配管Ｐ４は、一端が第１制御弁４１に接続され、他端が第１連絡管５１に接続されている。第５配管Ｐ５は、一端が第３配管Ｐ３の両端間に接続され、他端が第２制御弁４２に接続されている。第６配管Ｐ６は、一端が第２制御弁４２に接続され、他端が第２連絡管５２に接続されている。
【００６２】
第７配管Ｐ７は、一端が第１配管Ｐ１の両端間に接続され、他端が圧力調整弁４５に接続されている。第８配管Ｐ８は、一端が圧力調整弁４５に接続され、他端が第４配管Ｐ４の両端間に接続されている。第７配管Ｐ７及び第８配管Ｐ８は、後述のバイパス流路ＢＬを形成する圧力調整部４４の「バイパス配管」に相当する。
【００６３】
なお、中間ユニット４０内に配置される各冷媒配管（Ｐ１−Ｐ８）は、必ずしも１本の配管で構成される必要はなく、複数の配管が継手等を介して接続されることで構成されてもよい。
【００６４】
第１制御弁４１、第２制御弁４２及び第３制御弁４３は、室外ユニット１０及び対応室内ユニット３０間で形成される冷媒流路の開閉を切り換えることで、対応室内ユニット３０内の冷媒の流れを切り換える。第１制御弁４１、第２制御弁４２及び第３制御弁４３は、開度調整が可能な電動弁であり、開度に応じて冷媒を通過させたり遮断したりすることで冷媒の流れを切り換える。第１制御弁４１、第２制御弁４２及び第３制御弁４３は、閉状態（最小開度）の場合には冷媒の流れを遮断する全閉状態となる。
【００６５】
第１制御弁４１（特許請求の範囲記載の「第１遮断弁」に相当）は、一端が第３配管Ｐ３に接続され、他端が第４配管Ｐ４に接続されている。第１制御弁４１は、後述の第１ガス側冷媒流路ＧＬ１上に配置されており、第１ガス側冷媒流路ＧＬ１を流れる冷媒に関し、開度に応じて流量を調整する、若しくは流れを開通／遮断する。第１制御弁４１は、全閉状態になることで冷媒の流れを遮断する。
【００６６】
第２制御弁４２（特許請求の範囲記載の「第１遮断弁」に相当）は、一端が第５配管Ｐ５に接続され、他端が第６配管Ｐ６に接続されている。第２制御弁４２は、後述の第２ガス側冷媒流路ＧＬ２上に配置されており、第２ガス側冷媒流路ＧＬ２を流れる冷媒に関し、開度に応じて流量を調整する、若しくは流れを開通／遮断する。第２制御弁４２は、全閉状態になることで冷媒の流れを遮断する。
【００６７】
第３制御弁４３（特許請求の範囲記載の「第２遮断弁」に相当）は、一端が第１配管Ｐ１に接続され、他端が第２配管Ｐ２に接続されている。第３制御弁４３は、後述の液側冷媒流路ＬＬ上に配置されており、液側冷媒流路ＬＬを流れる冷媒に関し、開度に応じて流量を調整する、若しくは流れを開通／遮断する。第３制御弁４３は、全閉状態になることで冷媒の流れを遮断する。
【００６８】
なお、中間ユニット４０の第３制御弁４３は、対応室内ユニット３０が暖房運転中には、二相搬送開度に制御される。これによって、対応室内ユニット３０の室内熱交換器３２を通過して凝縮した冷媒は、第３制御弁４３を通過する際に減圧されて気液二相冷媒となる。その結果、係る冷媒は、第３連絡管５３を通過する際に気液二相状態で通過することとなる（すなわち、気液二相搬送が実現される）。つまり、第３制御弁４３は、全暖房状態又は暖房主体状態において、気液二相搬送用の「減圧弁」としても機能する。
【００６９】
また、中間ユニット４０の第３制御弁４３は、対応室内ユニット３０が冷房運転中には、騒音抑制開度に制御される。すなわち、気液二相搬送が行われる際には、冷房室内ユニット３０に向かう冷媒が液側冷媒流路ＬＬ（後述）を気液二相状態で搬送されることとなるが、液側連絡管ＬＰを冷媒が気液二相状態で通過する場合には冷媒循環量及び流速の大きさに応じて騒音が生じうる。係る騒音を低減すべく、第３制御弁４３が配置されており、対応室内ユニット３０が冷房運転中には所定の騒音抑制開度に制御されることで、通過する冷媒の冷媒循環量又は流速を調整することで、冷媒が液側連絡管ＬＰを通過する際の騒音を抑制している。
【００７０】
圧力調整部４４は、後述する室内側冷媒流路ＩＬに配置され、室内側冷媒流路ＩＬ内の冷媒の圧力を調整するユニットである。圧力調整部４４は、室内側冷媒流路ＩＬ内の冷媒を後述する室外側冷媒流路ＯＬへバイパスするための圧力調整弁４５及びバイパス配管（上述の第７配管Ｐ７及び第８配管Ｐ８）を含んでいる。
【００７１】
圧力調整弁４５（特許請求の範囲記載の「バイパス機構」に相当）は、一端が第７配管Ｐ７に接続され、他端が第８配管Ｐ８に接続されている。換言すると、圧力調整弁４５は、バイパス配管（第７配管Ｐ７及び第８配管Ｐ８）によって構成されるバイパス流路ＢＬ（後述）上に配置されている。
【００７２】
圧力調整弁４５は、一端側（ここでは第７配管Ｐ７側）の冷媒の圧力が所定の圧力基準値（後述の室内側冷媒流路ＩＬを構成する配管や機器の損傷を招く可能性のある圧力に相当する値）以上となった場合に、後述のバイパス流路ＢＬを開通させる。圧力調整弁４５は、一端側に加わる圧力の変化に応じて弁体が移動する圧力感知機構を有する機械式の自動膨張弁であり、予め算出された圧力基準値に追従して作動する。本実施形態において、圧力調整弁４５は、室内側冷媒流路ＩＬを構成する配管及び機器の仕様（容量及び型式等）や配置態様に応じて適宜選定される圧力基準値に対応する公知の汎用品が採用されている。
【００７３】
圧力調整弁４５は、一端側に圧力基準値未満の圧力が加わっている場合においては、圧力感知機構に含まれる弾性体の弾性力又は流体の圧力バランスによって弁体が所定位置に維持されることで、冷媒を遮断する全閉状態となる。一方、圧力調整弁４５は、一端側に所定の圧力基準値以上の圧力が加わった場合においては、弁体が追従して移動することで、一端側から他端側に流れる冷媒の通過を許容する開状態となる。すなわち、圧力調整弁４５は、圧力基準値以上の圧力を受けたときに冷媒を通過させる。圧力調整弁４５は、他端側（ここでは第８配管Ｐ８側）から加わる冷媒の圧力に追従して作動しない。本実施形態において、圧力調整弁４５は、第７配管Ｐ７内の冷媒の圧力、より詳細には室内側液冷媒流路ＩＬ２を構成する第１配管Ｐ１（一端側において連通する冷媒配管）内の冷媒の圧力が、圧力基準値以上となった場合にバイパス流路ＢＬを開通させる。
【００７４】
また、中間ユニット４０は、中間ユニット４０に含まれる各種機器の状態を制御する中間ユニット制御部（図示省略）を有している。中間ユニット制御部は、ＣＰＵやメモリ等で構成されるマイクロコンピュータを含む。中間ユニット制御部は、通信線を介して室外ユニット制御部又は室内ユニット制御部からの信号を受信し、状況に応じて、中間ユニット４０に含まれる各種機器の動作や状態（ここでは、各制御弁４１、４２、４３の開度）を制御する。
【００７５】
（１−４）室外側連絡配管５０、室内側連絡配管６０
各室外側連絡配管５０及び各室内側連絡配管６０は、現地においてサービスマンによって設置される冷媒連絡配管である。各室外側連絡配管５０及び各室内側連絡配管６０の配管長や配管径は、設置環境や設計仕様に応じて適宜選択される。各室外側連絡配管５０及び各室内側連絡配管６０は、室外ユニット１０及び中間ユニット４０間、又は各中間ユニット４０及び対応室内ユニット３０間で延びている。なお、各室外側連絡配管５０及び各室内側連絡配管６０は、必ずしも１本の配管で構成される必要はなく、複数の配管が継手や開閉弁等を介して接続されることで構成されてもよい。
【００７６】
室外側連絡配管５０（第１連絡管５１、第２連絡管５２及び第３連絡管５３）は、室外ユニット１０と各中間ユニット４０との間で延び、両者を接続している。具体的には、第１連絡管５１は、一端がガス側第１閉鎖弁１１に接続され、他端側において各中間ユニット４０の第４配管Ｐ４に接続されている。第２連絡管５２は、一端がガス側第２閉鎖弁１２に接続され、他端側において各中間ユニット４０の第６配管Ｐ６に接続されている。第３連絡管５３は、一端が液側閉鎖弁１３に接続され、他端側において各中間ユニット４０の第２配管Ｐ２に接続されている。
【００７７】
第１連絡管５１は、運転中、低圧のガス冷媒が流れる冷媒流路として機能する。また、第２連絡管５２は、運転中、第３流路切換弁１８が第１流路状態にある場合には高圧のガス冷媒が流れる冷媒流路として機能し、第３流路切換弁１８が第２流路状態にある場合には低圧のガス冷媒が流れる冷媒流路として機能する。第３連絡管５３は、運転中、減圧弁（第３室外制御弁２５／第３制御弁４３）において減圧された気液二相冷媒が流れる冷媒流路として機能する。
【００７８】
室内側連絡配管６０（ガス側連絡管ＧＰ及び液側連絡管ＬＰ）は、各中間ユニット４０と対応室内ユニット３０との間で延び、両者を接続している。具体的には、ガス側連絡管ＧＰは、一端が第３配管Ｐ３に接続され、他端が室内熱交換器３２のガス側出入口に接続されている。ガス側連絡管ＧＰは、運転中、ガス冷媒が流れる冷媒流路として機能する。液側連絡管ＬＰは、一端が第１配管Ｐ１に接続され、他端が室内膨張弁３１に接続されている。液側連絡管ＬＰは、運転中、液冷媒／気液二相冷媒が流れる冷媒流路として機能する。
【００７９】
（２）冷媒回路ＲＣに含まれる冷媒流路
冷媒回路ＲＣには、以下のような複数の冷媒流路が含まれている。
【００８０】
（２−１）ガス側冷媒流路ＧＬ
冷媒回路ＲＣには、室外ユニット１０及び室内ユニット３０間に配置され（すなわち室外熱交換器２０及び各室内熱交換器３２間に配置され）、ガス冷媒が流れるガス側冷媒流路ＧＬが含まれている。ガス側冷媒流路ＧＬは、第１連絡管５１及び第２連絡管５２と、各中間ユニット４０の第３配管Ｐ３、第４配管Ｐ４、第５配管Ｐ５、第６配管Ｐ６、第１制御弁４１及び第２制御弁４２と、ガス側連絡管ＧＰと、によって構成される冷媒流路である。本実施形態において、中間ユニット４０は、ガス側冷媒流路ＧＬ上にそれぞれ配置されているともいえる。ガス側冷媒流路ＧＬは、室外ユニット１０と対応する室内ユニット３０との間に配置される。ガス側冷媒流路ＧＬは、複数に分岐して延びている。具体的に、ガス側冷媒流路ＧＬは、複数の「ガス側分岐流路」（より詳細には、複数の第１ガス側冷媒流路ＧＬ１及び複数の第２ガス側冷媒流路ＧＬ２）を含む。各ガス側分岐流路は、対応する室内ユニット３０と、室外ユニット１０との間に配置される。
【００８１】
各第１ガス側冷媒流路ＧＬ１（「ガス側第１分岐流路」に相当）は、低圧のガス冷媒が流れる冷媒流路であり、中間ユニット４０の第３配管Ｐ３、第４配管Ｐ４及び第１制御弁４１によって構成される。ガス側冷媒流路ＧＬには、第１ガス側冷媒流路ＧＬ１の始点となるガス側第１分岐部ＢＰ１が複数含まれる。
【００８２】
各第２ガス側冷媒流路ＧＬ２（「ガス側第２分岐流路」に相当）は、低圧又は高圧のガス冷媒が流れる冷媒流路であり、各中間ユニット４０の第５配管Ｐ５、第６配管Ｐ６及び第２制御弁４２によって構成される冷媒流路である。第２ガス側冷媒流路ＧＬ２は、第１ガス側冷媒流路ＧＬ１から分岐して室外ユニット１０まで延びる冷媒流路、又は室外ユニット１０から延びて第１ガス側冷媒流路ＧＬ１に合流する冷媒流路である。ガス側冷媒流路ＧＬには、第２ガス側冷媒流路ＧＬ２の始点となるガス側第２分岐部ＢＰ２が複数含まれる。
【００８３】
（２−２）液側冷媒流路ＬＬ
冷媒回路ＲＣには、室外ユニット１０及び室内ユニット３０間に配置される、液冷媒（飽和液状態又は過冷却状態の冷媒）若しくは気液二相冷媒が流れる液側冷媒流路ＬＬが複数含まれている。液側冷媒流路ＬＬは、第３連絡管５３と、各中間ユニット４０の第１配管Ｐ１、第２配管Ｐ２及び第３制御弁４３と、液側連絡管ＬＰと、によって構成される冷媒流路である。本実施形態において、中間ユニット４０は、液側冷媒流路ＬＬ上にそれぞれ配置されているともいえる。液側冷媒流路ＬＬは、室外ユニット１０と対応する室内ユニット３０との間に配置される。液側冷媒流路ＬＬは、複数に分岐して延びている。具体的に、液側冷媒流路ＬＬは、複数の液側分岐流路ＬＬ１を含む。各液側分岐流路ＬＬ１は、対応する室内ユニット３０と、室外ユニット１０との間に配置される。各液側分岐流路ＬＬ１は、中間ユニット４０の第１配管Ｐ１、第２配管Ｐ２及び第３制御弁４３によって構成される。液側冷媒流路ＬＬには、液側分岐流路ＬＬ１の始点となる液側分岐部ＢＰ３が複数含まれる。
【００８４】
（２−３）室外側冷媒流路ＯＬ（熱源側冷媒流路）
冷媒回路ＲＣには、室外ユニット１０及び各中間ユニット４０（より詳細には、各中間ユニット４０の第１制御弁４１、第２制御弁４２及び第３制御弁４３）間に配置される室外側冷媒流路ＯＬが含まれている。室外側冷媒流路ＯＬは、第１連絡管５１、第２連絡管５２及び第３連絡管５３と、各中間ユニット４０の第２配管Ｐ２、第４配管Ｐ４及び第６配管Ｐ６と、によって構成される冷媒流路である。室外側冷媒流路ＯＬは、室外側ガス冷媒流路ＯＬ１と、室外側液冷媒流路ＯＬ２と、を含む。室外側ガス冷媒流路ＯＬ１は、第１制御弁４１、第２制御弁４２及び第３制御弁４３と、室外熱交換器２０と、の間に配置される。
【００８５】
室外側ガス冷媒流路ＯＬ１（熱源側第１冷媒流路）は、第１連絡管５１及び第２連絡管５２と、各中間ユニット４０の第４配管Ｐ４及び第６配管Ｐ６と、によって構成される冷媒流路である。室外側ガス冷媒流路ＯＬ１は、第１制御弁４１又は第２制御弁４２と室外ユニット１０との間に配置される。換言すると、室外側ガス冷媒流路ＯＬ１は、室外ユニット１０と、各中間ユニット４０の第１制御弁４１及び第２制御弁４２と、の間に位置するガス側冷媒流路ＧＬに相当する。すなわち、室外側ガス冷媒流路ＯＬ１は、第１制御弁４１及び第２制御弁４２と、室外熱交換器２０と、の間に配置される。
【００８６】
室外側液冷媒流路ＯＬ２（熱源側第２冷媒流路）は、第３連絡管５３と、各中間ユニット４０の第２配管Ｐ２と、によって構成される冷媒流路である。室外側液冷媒流路ＯＬ２は、第３制御弁４３と室外ユニット１０との間に配置される。換言すると、室外側液冷媒流路ＯＬ２は、室外ユニット１０と、各中間ユニット４０の第３制御弁４３と、の間に位置する液側冷媒流路ＬＬに相当する。すなわち、室外側液冷媒流路ＯＬ２は、第３制御弁４３と、室外熱交換器２０と、の間に配置される。
【００８７】
（２−４）室内側冷媒流路ＩＬ（利用側冷媒流路）
冷媒回路ＲＣには、各中間ユニット４０（より詳細には、各中間ユニット４０の第１制御弁４１、第２制御弁４２及び第３制御弁４３）及び対応室内ユニット３０（室内熱交換器３２）間に配置される室内側冷媒流路ＩＬが含まれている。室内側冷媒流路ＩＬは、各中間ユニット４０及び対応室内ユニット３０間におけるガス側連絡管ＧＰ及び液側連絡管ＬＰと、第１配管Ｐ１、第３配管Ｐ３及び第５配管Ｐ５と、によって構成される冷媒流路である。室内側冷媒流路ＩＬは、室内側ガス冷媒流路ＩＬ１と、室内側液冷媒流路ＩＬ２と、を含む。
【００８８】
室内側ガス冷媒流路ＩＬ１（利用側ガス冷媒流路）は、各中間ユニット４０及び対応室内ユニット３０間におけるガス側連絡管ＧＰと、各中間ユニット４０の第３配管Ｐ３及び第５配管Ｐ５と、によって構成される冷媒流路である。換言すると、室内側ガス冷媒流路ＩＬ１は、各中間ユニット４０の第１制御弁４１及び第２制御弁４２と、対応室内ユニット３０と、の間に位置するガス側冷媒流路ＧＬに相当する。すなわち、室内側ガス冷媒流路ＩＬ１は、第１制御弁４１及び第２制御弁４２と、室内熱交換器３２と、の間に配置される。
【００８９】
室内側液冷媒流路ＩＬ２（利用側液冷媒流路）は、各中間ユニット４０及び対応室内ユニット３０の室内膨張弁３１間における液側連絡管ＬＰと、各中間ユニット４０の第１配管Ｐ１と、によって構成される冷媒流路である。換言すると、室内側液冷媒流路ＩＬ２は、各中間ユニット４０の第３制御弁４３と、対応室内ユニット３０と、の間に位置する液側冷媒流路ＬＬに相当する。すなわち、室内側液冷媒流路ＩＬ２は、第３制御弁４３と、室内熱交換器３２と、の間に配置される。
【００９０】
（２−５）バイパス流路ＢＬ
冷媒回路ＲＣには、液側冷媒流路ＬＬ及びガス側冷媒流路ＧＬ間に配置され、液側冷媒流路ＬＬ内の冷媒をガス側冷媒流路ＧＬへバイパスするバイパス流路ＢＬが含まれている。換言すると、バイパス流路ＢＬは、室内側冷媒流路ＩＬ（より詳細には室内側液冷媒流路ＩＬ２）から室外側冷媒流路ＯＬ（より詳細には室外側ガス冷媒流路ＯＬ１）へ延びる冷媒流路である。バイパス流路ＢＬは、液側冷媒流路ＬＬ内の冷媒の圧力が所定の圧力基準値以上となった場合に、液側冷媒流路ＬＬを構成する機器や配管の損傷を抑制すべく、液側冷媒流路ＬＬ内の冷媒を他の部分にバイパスさせて圧力低減させるために設けられている。
【００９１】
バイパス流路ＢＬは、各中間ユニット４０において、第７配管Ｐ７、第８配管Ｐ８、及び圧力調整弁４５によって構成される。換言すると、バイパス流路ＢＬは、圧力調整部４４のバイパス配管によって構成される冷媒流路であり、圧力調整部４４の圧力調整弁４５によって開通又は遮断される。
【００９２】
バイパス流路ＢＬは、室内側液冷媒流路ＩＬ２（第１配管Ｐ１）から、第１ガス側冷媒流路ＧＬ１に含まれる室外側ガス冷媒流路ＯＬ１（第４配管Ｐ４）へ冷媒をバイパスさせる冷媒流路である。より具体的に、バイパス流路ＢＬは、第１配管Ｐ１（又は第１配管Ｐ１と連通する第７配管Ｐ７）を流れる冷媒の圧力が圧力基準値以上となった場合に、圧力調整弁４５が開状態に切り換わることに応じて開通する。バイパス流路ＢＬが開通した場合には、第１配管Ｐ１内の冷媒が、バイパス流路ＢＬを通過して第４配管Ｐ４へバイパスされ、第１連絡管５１を流れて室外ユニット１０のガス側出入口へ流入することとなる。すなわち、圧力調整弁４５は、室内側冷媒流路ＩＬにおいて冷媒の圧力が圧力基準値以上となった場合に、室内側冷媒流路ＩＬ内の冷媒を、バイパス流路ＢＬを介して、第１制御弁４１と室外ユニット１０との間に配置される室外側ガス冷媒流路ＯＬ１へバイパスさせる。
【００９３】
（３）冷媒回路ＲＣにおける冷媒の流れ
以下、冷媒回路ＲＣにおける冷媒の流れについて、状態別に説明する。
【００９４】
（３−１）全冷房状態
〈Ａ１〉
空調システム１００が全冷房状態にある場合には、冷媒が吸入配管Ｐａを介して圧縮機１５に吸入されて圧縮される。圧縮された高圧のガス冷媒は、吐出配管Ｐｂ、第１流路切換弁１６又は第２流路切換弁１７を経て、室外熱交換器２０（第１室外熱交換器２１又は第２室外熱交換器２２）に流入する。室外熱交換器２０に流入した冷媒は、室外熱交換器２０を通過する際に、室外ファン２８によって送られる空気と熱交換を行い凝縮する。室外熱交換器２０を通過した冷媒は、第１室外制御弁２３又は第２室外制御弁２４を通過した後、液側配管Ｐｃを流れる過程において二手に分岐する。
【００９５】
〈Ａ２〉
液側配管Ｐｃにおいて二手に分岐した一方の冷媒は、第４室外制御弁２６に流入し、第４室外制御弁２６の開度に応じて減圧される。第４室外制御弁２６を通過した冷媒は、過冷却熱交換器２７の第２流路２７２に流入し、第２流路２７２を通過する際に第１流路２７１を通過する冷媒と熱交換を行う。第２流路２７２を通過した冷媒は、アキュームレータ１４に流入し、アキュームレータ１４内において気液分離する。アキュームレータ１４から流出するガス冷媒は、吸入配管Ｐａを流れ、圧縮機１５に再び吸入される。
【００９６】
〈Ａ３〉
液側配管Ｐｃにおいて二手に分岐した冷媒の他方は、過冷却熱交換器２７の第１流路２７１に流入する。第１流路２７１に流入した冷媒は、第１流路２７１を通過する際に、第２流路２７２を通過する冷媒と熱交換を行い、過冷却度のついた液冷媒となる。第１流路２７１を通過した冷媒は、第３室外制御弁２５に流入し、第３室外制御弁２５の開度に応じて気液二相搬送に適した圧力に減圧されて気液二相冷媒となる。第３室外制御弁２５を通過した冷媒は、液側閉鎖弁１３を通過して第３連絡管５３（液側冷媒流路ＬＬ；室外側液冷媒流路ＯＬ２）に流入し、気液二相状態で第３連絡管５３を通過する。第３連絡管５３を通過した冷媒は、冷房室内ユニット３０に対応する中間ユニット４０のいずれかに流入する。
【００９７】
〈Ａ４〉
冷房室内ユニット３０に対応する中間ユニット４０に流入した冷媒は、第２配管Ｐ２を流れ第３制御弁４３に流入する。第３制御弁４３に流入した冷媒は、第３制御弁４３の開度（騒音抑制開度）に応じて減圧された後、第１配管Ｐ１（室内側液冷媒流路ＩＬ２）に流入する。第１配管Ｐ１を通過した冷媒は、中間ユニット４０から流出して液側連絡管ＬＰに流入する。液側連絡管ＬＰを通過した冷媒は、対応する冷房室内ユニット３０に流入する。冷房室内ユニット３０に流入した冷媒は、室内膨張弁３１を通過する際に減圧される。室内膨張弁３１を通過した冷媒は、室内熱交換器３２に流入し、室内熱交換器３２を通過する際に、室内ファン３３によって送られる空気と熱交換を行い蒸発して、過熱度のついたガス冷媒となる。各室内熱交換器３２を通過した冷媒は、ガス側連絡管ＧＰ（ガス側冷媒流路ＧＬ；室内側ガス冷媒流路ＩＬ１）に流入する。ガス側連絡管ＧＰを流れる冷媒は、冷房室内ユニット３０から流出し、対応する中間ユニット４０に流入する。
【００９８】
〈Ａ５〉
中間ユニット４０に流入した冷媒は、第１ガス側冷媒流路ＧＬ１（第３配管Ｐ３、第１制御弁４１及び第４配管Ｐ４で構成される流路）、又は第２ガス側冷媒流路ＧＬ２（すなわち、第５配管Ｐ５、第２制御弁４２及び第６配管Ｐ６で構成される流路）を通過し、中間ユニット４０から流出する。中間ユニット４０の第１ガス側冷媒流路ＧＬ１から流出した冷媒は、第１連絡管５１（室外側ガス冷媒流路ＯＬ１）を通過し、ガス側第１閉鎖弁１１を介して室外ユニット１０に流入する。中間ユニット４０の第２ガス側冷媒流路ＧＬ２から流出した冷媒は、第２連絡管５２（室外側ガス冷媒流路ＯＬ１）を通過し、ガス側第２閉鎖弁１２を介して室外ユニット１０に流入する。
【００９９】
〈Ａ６〉
ガス側第１閉鎖弁１１又はガス側第２閉鎖弁１２を介して室外ユニット１０に流入した冷媒は、アキュームレータ１４に流入し、アキュームレータ１４内において気液分離する。アキュームレータ１４から流出するガス冷媒は、吸入配管Ｐａを流れ、圧縮機１５に再び吸入される。
【０１００】
（３−２）全暖房状態
〈Ｂ１〉
空調システム１００が全暖房状態にある場合には、冷媒が吸入配管Ｐａを介して圧縮機１５に吸入されて圧縮される。圧縮された高圧のガス冷媒は、吐出配管Ｐｂ及び第３流路切換弁１８、及びガス側第２閉鎖弁１２を経て、第２連絡管５２（ガス側冷媒流路ＧＬ；室外側ガス冷媒流路ＯＬ１）に流入する。
【０１０１】
〈Ｂ２〉
第２連絡管５２を通過した冷媒は、暖房室内ユニット３０に対応する中間ユニット４０のいずれかに流入する。中間ユニット４０に流入した冷媒は、第２ガス側冷媒流路ＧＬ２（すなわち、第６配管Ｐ６、第２制御弁４２及び第５配管Ｐ５）を通過して、ガス側連絡管ＧＰ（室内側ガス冷媒流路ＩＬ１）を経て暖房室内ユニット３０に流入する。
【０１０２】
〈Ｂ３〉
暖房室内ユニット３０に流入した冷媒は、室内熱交換器３２に流入し、室内熱交換器３２を通過する際に、室内ファン３３によって送られる空気と熱交換を行い凝縮して、液冷媒又は気液二相冷媒となる。各室内熱交換器３２を通過した冷媒は、室内膨張弁３１を通過した後、液側連絡管ＬＰ（液側冷媒流路ＬＬ；室内側液冷媒流路ＩＬ２）に流入する。液側連絡管ＬＰを通過した冷媒は、対応する中間ユニット４０に流入する。
【０１０３】
〈Ｂ４〉
中間ユニット４０に流入した冷媒は、第１配管Ｐ１を通過した後、第３制御弁４３に流入する。第３制御弁４３に流入した冷媒は、第３制御弁４３の開度（二相搬送開度）に応じて減圧され気液二相状態となる。第３制御弁４３を通過した冷媒は、第２配管Ｐ２（室外側液冷媒流路ＯＬ２）に流入し、第３連絡管５３を通過する。第３連絡管５３を通過した冷媒は、液側閉鎖弁１３を介して室外ユニット１０に流入する。
【０１０４】
〈Ｂ５〉
液側閉鎖弁１３を介して室外ユニット１０に流入した冷媒は、第３室外制御弁２５を通過し、開度に応じて減圧される。第３室外制御弁２５を通過した冷媒は、過冷却熱交換器２７の第１流路２７１に流入する。第１流路２７１に流入した冷媒は、第１流路２７１を通過する際に、第２流路２７２を通過する冷媒と熱交換を行い、過冷却度のついた液冷媒となる。第１流路２７１を通過した冷媒は、液側配管Ｐｃを流れる過程において二手に分岐する。
【０１０５】
液側配管Ｐｃにおいて二手に分岐した一方の冷媒は、上記〈Ａ２〉で説明した態様で流れ、圧縮機１５に再び吸入される。
【０１０６】
液側配管Ｐｃにおいて二手に分岐した冷媒の他方は、第１室外制御弁２３又は第２室外制御弁２４に流入し、第１室外制御弁２３又は第２室外制御弁２４の開度に応じて減圧される。第１室外制御弁２３又は第２室外制御弁２４を通過した冷媒は、室外熱交換器２０（第１室外熱交換器２１又は第２室外熱交換器２２）に流入する。室外熱交換器２０に流入した冷媒は、室外熱交換器２０を通過する際に、室外ファン２８によって送られる空気と熱交換を行い蒸発する。室外熱交換器２０を通過した冷媒は、第１流路切換弁１６又は第２流路切換弁１７を通過した後、アキュームレータ１４に流入し、アキュームレータ１４内において気液分離する。アキュームレータ１４から流出するガス冷媒は、吸入配管Ｐａを流れ、圧縮機１５に再び吸入される。
【０１０７】
（３−３）冷房室内ユニット３０と暖房室内ユニット３０とが混在する場合
冷房室内ユニット３０と、暖房室内ユニット３０と、が混在する場合については、冷房主体状態にある場合と、暖房主体状態にある場合と、冷暖均衡状態にある場合と、に分けて説明する。また、冷暖均衡状態の場合については、冷房主体状態から冷暖均衡状態となった場合と、暖房主体状態から冷暖均衡状態となった場合と、にさらに分けて説明する。
【０１０８】
（３−３−１）冷房主体状態にある場合
〈Ｃ１〉
空調システム１００が冷房主体状態にある場合には、冷媒が吸入配管Ｐａを介して圧縮機１５に吸入されて圧縮される。圧縮された高圧のガス冷媒は、吐出配管Ｐｂを流れる際に二手に分岐する。
【０１０９】
〈Ｃ２〉
吐出配管Ｐｂを流れる際に二手に分岐した冷媒の一方は、第３流路切換弁１８及びガス側第２閉鎖弁１２を経て、第２連絡管５２（ガス側冷媒流路ＧＬ；室外側ガス冷媒流路ＯＬ１）に流入する。第２連絡管５２に流入した冷媒は、上記〈Ｂ２〉に記載の態様で流れ、暖房室内ユニット３０に流入する。暖房室内ユニット３０に流入した冷媒は、上記〈Ｂ３〉に記載の態様で流れ、対応する中間ユニット４０の第１配管Ｐ１に流入する。係る冷媒は、第１配管Ｐ１を通過した後、第３制御弁４３に流入する。第３制御弁４３に流入した冷媒は、第３制御弁４３の開度（二相搬送開度）に応じて減圧され気液二相状態となる。第３制御弁４３を通過した冷媒は、第２配管Ｐ２（室外側液冷媒流路ＯＬ２）を流れた後、第３連絡管５３に流入する。第３連絡管５３に流入した冷媒は、冷房室内ユニット３０に対応する中間ユニット４０のいずれかにおける第２配管Ｐ２に流入する。
【０１１０】
〈Ｃ３〉
冷房室内ユニット３０に対応する中間ユニット４０のいずれかにおける第２配管Ｐ２に流入した冷媒は、上記〈Ａ４〉に記載の態様で流れ、対応する中間ユニット４０の第４配管Ｐ４（第１ガス側冷媒流路ＧＬ１）に流入する。その後、中間ユニット４０の第４配管Ｐ４を通過した冷媒は、第１連絡管５１を通過しガス側第１閉鎖弁１１を介して室外ユニット１０に流入する。ガス側第１閉鎖弁１１を介して室外ユニット１０に流入した冷媒は、上記〈Ａ６〉に記載の態様で流れ、圧縮機１５に再び吸入される。
【０１１１】
〈Ｃ４〉
一方、上記〈Ｃ２〉において吐出配管Ｐｂを流れる際に二手に分岐した冷媒の他方は、第１流路切換弁１６又は第２流路切換弁１７を経て、室外熱交換器２０（第１室外熱交換器２１又は第２室外熱交換器２２）に流入する。室外熱交換器２０に流入した冷媒は、室外熱交換器２０を通過する際に、室外ファン２８によって送られる空気と熱交換を行い凝縮する。室外熱交換器２０を通過した冷媒は、第１室外制御弁２３又は第２室外制御弁２４を通過した後、液側配管Ｐｃを流れる過程において二手に分岐する。
【０１１２】
〈Ｃ５〉
液側配管Ｐｃにおいて二手に分岐した一方の冷媒は、上記〈Ａ２〉に記載の態様で流れ、圧縮機１５に再び吸入される。液側配管Ｐｃにおいて二手に分岐した冷媒の他方は、上記〈Ａ３〉に記載の態様で流れ、冷房室内ユニット３０に対応する中間ユニット４０のいずれかにおける第２配管Ｐ２に流入する。係る冷媒は、上記〈Ａ４〉に記載の態様で流れ、室内ユニット３０で蒸発してガス冷媒となった後、ガス側連絡管ＧＰ（ガス側冷媒流路ＧＬ；室内側ガス冷媒流路ＩＬ１）を経て、中間ユニット４０の第１ガス側冷媒流路ＧＬ１に流入する。
【０１１３】
〈Ｃ６〉
中間ユニット４０の第１ガス側冷媒流路ＧＬ１に流入した冷媒は、上記〈Ａ５〉に記載の態様で流れ、ガス側第２閉鎖弁１２を介して室外ユニット１０に流入する。ガス側第２閉鎖弁１２を経て室外ユニット１０に流入した冷媒は、上記〈Ａ６〉に記載の態様で流れ、圧縮機１５に再び吸入される。
【０１１４】
（３−３−２）暖房主体状態にある場合
〈Ｄ１〉
空調システム１００が暖房主体状態にある場合には、冷媒が吸入配管Ｐａを介して圧縮機１５に吸入され、上記〈Ｂ２〉に記載の態様で流れ、第２連絡管５２に流入する。第２連絡管５２に流入した冷媒は、上記〈Ｂ２〉に記載の態様で流れ、暖房室内ユニット３０に流入する。暖房室内ユニット３０に流入した冷媒は、上記〈Ｂ３〉に記載の態様で流れ、対応する中間ユニット４０の第１配管Ｐ１に流入する。係る冷媒は、第１配管Ｐ１を通過した後、第３制御弁４３に流入する。第３制御弁４３に流入した冷媒は、第３制御弁４３の開度（二相搬送開度）に応じて減圧され気液二相状態となる。第３制御弁４３を通過した冷媒は、第２配管Ｐ２（室外側液冷媒流路ＯＬ２）を流れて第３連絡管５３に流入する。
【０１１５】
〈Ｄ２〉
第３連絡管５３に流入した冷媒の一部は、冷房室内ユニット３０に対応する中間ユニット４０のいずれかにおける第２配管Ｐ２に流入する。係る冷媒は、上記〈Ａ４〉に記載の態様で流れ、対応する中間ユニット４０の第４配管Ｐ４（第１ガス側冷媒流路ＧＬ１）に流入する。その後、中間ユニット４０の第４配管Ｐ４を通過した冷媒は、第１連絡管５１を流れた後、ガス側第１閉鎖弁１１を介して室外ユニット１０に流入する。ガス側第１閉鎖弁１１を介して室外ユニット１０に流入した冷媒は、上記〈Ａ６〉に記載の態様で流れ、圧縮機１５に再び吸入される。
【０１１６】
〈Ｄ３〉
一方、第３連絡管５３に流入した他の冷媒は、液側閉鎖弁１３を介して室外ユニット１０に流入する。液側閉鎖弁１３を介して室外ユニット１０に流入した冷媒は、上記〈Ｂ５〉に記載の態様で流れ、圧縮機１５に再び吸入される。
【０１１７】
（３−３−３）冷暖均衡状態の場合
（３−３−３−１）冷房主体状態において冷暖均衡状態となった場合
空調システム１００が冷房主体状態において冷暖均衡状態となった場合には、「（３−３−１）冷房主体状態にある場合」における〈Ｃ１〉―〈Ｃ６〉において説明した態様で冷媒回路ＲＣ内を冷媒が流れる。
【０１１８】
（３−３−３−２）暖房主体状態において冷暖均衡状態となった場合
〈Ｅ１〉
空調システム１００が暖房主体状態において冷暖均衡状態となった場合には、冷媒が吸入配管Ｐａを介して圧縮機１５に吸入されて圧縮される。圧縮された高圧のガス冷媒は、吐出配管Ｐｂを流れる際に二手に分岐する。
【０１１９】
〈Ｅ２〉
吐出配管Ｐｂを流れる際に二手に分岐した冷媒の一方は、上記〈Ｃ２〉−〈Ｃ３〉で説明した態様で流れ、圧縮機１５に再び吸入される。
【０１２０】
〈Ｅ３〉
一方、上記〈Ｅ２〉において吐出配管Ｐｂを流れる際に二手に分岐した冷媒の他方は、吐出配管Ｐｂ、第１流路切換弁１６を経て、室外熱交換器２０（第２室外熱交換器２２）に流入する。室外熱交換器２０に流入した冷媒は、室外熱交換器２０を通過する際に、室外ファン２８によって送られる空気と熱交換を行い凝縮する。室外熱交換器２０を通過した冷媒は、第２室外制御弁２４を通過した後、液側配管Ｐｃを流れる過程において二手に分岐する。
【０１２１】
〈Ｅ４〉
液側配管Ｐｃにおいて二手に分岐した一方の冷媒は、上記〈Ａ２〉に記載の態様で流れ、圧縮機１５に再び吸入される。
【０１２２】
〈Ｅ５〉
液側配管Ｐｃにおいて二手に分岐した冷媒の他方は、上記〈Ａ３〉に記載の態様で流れ、冷房室内ユニット３０に対応する中間ユニット４０のいずれかにおける第２配管Ｐ２に流入する。係る冷媒は、上記〈Ａ４〉に記載の態様で流れ、対応する中間ユニット４０の第４配管Ｐ４（第１ガス側冷媒流路ＧＬ１）に流入する。その後、中間ユニット４０の第４配管Ｐ４を通過した冷媒は、第１連絡管５１を通過しガス側第１閉鎖弁１１を経て室外ユニット１０に流入する。ガス側第１閉鎖弁１１を経て室外ユニット１０に流入した冷媒は、上記〈Ａ６〉に記載の態様で流れ、圧縮機１５に再び吸入される。
【０１２３】
（３−４）第１制御弁４１、第２制御弁４２及び第３制御弁４３が同時に閉状態となった場合
第１制御弁４１、第２制御弁４２及び第３制御弁４３が同時に閉状態となった場合には、室内側冷媒流路ＩＬが遮断されるため、室内側冷媒流路ＩＬ内に冷媒が存在する場合には液封回路が形成されることとなる。係る場合において、室内側冷媒流路ＩＬ内の冷媒の状態変化に伴い圧力調整弁４５の一端側に圧力基準値以上の圧力が加わったときには、圧力調整弁４５が全閉状態から開状態に切り換わりバイパス流路ＢＬが開通する。これにより、室内側冷媒流路ＩＬ内の冷媒が、第１配管Ｐ１からバイパス流路ＢＬに流入し、バイパス流路ＢＬ（第７配管Ｐ７、圧力調整弁４５、及び第８配管Ｐ８）を流れて、室外側冷媒流路ＯＬ（室外側ガス冷媒流路ＯＬ１を構成する第４配管Ｐ４）にバイパスされる。
【０１２４】
なお、係る場合において、室内膨張弁３１が最低開度の状態であったとしても、室内膨張弁３１は微開状態となる。このため、室内膨張弁３１の微小流路を介して、室内側ガス冷媒流路ＩＬ１と室内側液冷媒流路ＩＬ２とが連通することとなる。
【０１２５】
（４）圧力調整機能・液封防止機能について
空調システム１００では、第１制御弁４１、第２制御弁４２、及び第３制御弁４３が同時に全閉状態（冷媒の流れを遮断する状態）となるケースが考えられる。
【０１２６】
例えば、停止室内ユニット３０からの冷媒漏洩を抑制すべく、停止室内ユニット３０への冷媒の流れを遮断するために中間ユニット４０内の第１制御弁４１、第２制御弁４２、及び第３制御弁４３が同時に全閉状態に切り換えられるケースが想定される。また、例えば、冷媒回路ＲＣにおいて冷媒漏洩が生じた時には、室内ユニット３０から対象空間へ冷媒が漏洩することを抑制すべく、各中間ユニット４０内の第１制御弁４１、第２制御弁４２、及び第３制御弁４３が同時に全閉状態に切り換えられるケースが想定される。また、例えば、停電等の電源供給異常、製品不良や経年劣化等に基づく動作不良、又は制御プログラムのエラー等に起因する制御不能等に起因して、各弁（４１、４２、４３）が同時に全閉状態となるケースが想定される。
【０１２７】
係るケースにおいては、室内側冷媒流路ＩＬにおいて液封回路が形成され配管や機器が破損することも考えられる。特に、現場において施工される際に、中間ユニット４０は、対応室内ユニット３０の近傍に配置されることが一般的であるため、液側連絡管ＬＰの長手寸法は通常大きくないことに関連して、仮に室内膨張弁３１が全閉状態となった時には室内側液冷媒流路ＩＬ２において液封回路が形成されやすい。
【０１２８】
係るリスクに鑑みて、中間ユニット４０又は空調システム１００では、冷媒回路ＲＣにおいて圧力調整部４４が配置されることで、中間ユニット４０の各弁（４１、４２、４３）が同時に全閉状態となったケースにおいても、室内側液冷媒流路ＩＬ２内における圧力上昇に伴ってバイパス流路ＢＬが開通され圧力が自動調整されるため、室内側液冷媒流路ＩＬ２において液封回路が形成されることで配管や機器の破損が生じることが抑制されている。
【０１２９】
また、室内膨張弁３１は、閉状態（最小開度）時に微量の冷媒を通過させる微小流路を形成する微開状態となることから、最小開度の際にも全閉状態とはならない。よって、中間ユニット４０の各弁（４１、４２、４３）が同時に全閉状態となったケースにおいても、室内側ガス冷媒流路ＩＬ１及び室内側液冷媒流路ＩＬ２において液封回路が形成されることが抑制されている。
【０１３０】
（５）特徴
（５−１）
従来、熱源側熱交換器及び複数の利用側熱交換器を含む冷媒回路において、熱源側熱交換器及び利用側熱交換器間に配置されるガス側冷媒流路及び液側冷媒流路のそれぞれに冷媒の流れを切り換える切換弁を有し、各切換弁の状態を個別に制御することで各利用側熱交換器への冷媒の流れ方向を個別に切り換える冷凍装置が知られている。
【０１３１】
しかし、熱源側熱交換器と各利用側熱交換器との間のガス側冷媒流路及び液側冷媒流路において遮断弁をそれぞれ含む冷凍装置では、各遮断弁が同時に全閉状態（冷媒の流れを遮断する状態）となることが考えられる。例えば、冷媒漏洩が検知された場合には、ガス側冷媒流路及び液側冷媒流路に配置される各遮断弁が同時に全閉状態に制御される。また例えば、停電等の電源供給異常や切換弁の動作不良等に起因して各遮断弁が同時に全閉状態となることも考えられる。
【０１３２】
このような冷凍装置においてガス側冷媒流路及び液側冷媒流路に配置される各遮断弁が同時に全閉状態となると、利用側熱交換器と各遮断弁との間に配置される冷媒流路において冷媒の流れが遮断され液封回路が形成されうる。液封回路が形成された場合、液封回路内の冷媒の状態変化に応じて配管や機器の損傷が生じうるため、信頼性低下を招く。
【０１３３】
これに対し、上記実施形態に係る空調システム１００では、信頼性低下が抑制されている。
【０１３４】
上記実施形態に係る空調システム１００は、冷媒回路ＲＣにおいて冷凍サイクルを行う「冷凍装置」であって、室外熱交換器２０（「熱源側熱交換器」に相当）と、室内熱交換器３２（「利用側熱交換器」に相当）と、「第１遮断弁」（第１制御弁４１及び第２制御弁４２）と、「第２遮断弁」（第３制御弁４３）と、圧力調整部４４と、を備える。第１遮断弁（４１、４２）は、ガス側冷媒流路ＧＬ上に配置される。ガス側冷媒流路ＧＬは、室外熱交換器２０及び室内熱交換器３２間に配置される。第１遮断弁（４１、４２）は、全閉状態となることで冷媒の流れを遮断する。第２遮断弁（４３）は、液側冷媒流路ＬＬ上に配置される。液側冷媒流路ＬＬは、室外熱交換器２０及び室内熱交換器３２間に配置される。第２遮断弁（４３）は、全閉状態となることで冷媒の流れを遮断する。圧力調整部４４は、室内側冷媒流路ＩＬ（「利用側冷媒流路」に相当）内の冷媒の圧力を調整する。室内側冷媒流路ＩＬは、第１遮断弁（４１、４２）又は第２遮断弁（４３）と室内熱交換器３２との間に配置される。圧力調整部４４は、圧力調整弁４５（「バイパス機構」に相当）を含む。圧力調整弁４５は、室内側冷媒流路ＩＬ内の冷媒を室外側冷媒流路ＯＬ（「熱源側冷媒流路」に相当）へバイパスさせる。室外側冷媒流路ＯＬは、第１遮断弁（４１、４２）又は第２遮断弁（第３制御弁４３）と室外熱交換器２０との間に配置される。
【０１３５】
これにより、流路切換ユニットにおいて第１遮断弁（４１、４２）及び第２遮断弁（４３）が同時に全閉状態なった場合であっても、室外熱交換器２０及び室内熱交換器３２間における室内側冷媒流路ＩＬにおいて冷媒の流れが遮断されることが抑制され、液封回路が形成されることが抑制されている。よって、信頼性低下が抑制されている。
【０１３６】
（５−２）
上記実施形態では、圧力調整部４４は、バイパス配管（Ｐ７、Ｐ８）をさらに含む。バイパス配管（Ｐ７、Ｐ８）は、バイパス流路ＢＬを形成する。バイパス流路ＢＬは、室内側冷媒流路ＩＬ（「利用側冷媒流路」に相当）から室外側冷媒流路ＯＬ（「熱源側冷媒流路」に相当）へと延びる冷媒流路である。圧力調整弁４５（「バイパス機構」に相当）は、バイパス流路ＢＬ上に配置される。圧力調整弁４５は、室内側冷媒流路ＩＬ内の冷媒の圧力が所定の基準値以上となった場合に、バイパス流路ＢＬを開通させる。
【０１３７】
これにより、簡単な構成にして圧力調整部４４を構成することが可能となっている。よって、コスト増大を抑制しつつ信頼性低下が抑制されている。
【０１３８】
なお、ここでの「所定の基準値」は、室内側冷媒流路ＩＬを構成する配管や機器の損傷を招く可能性のある圧力に相当する値であり、室内側冷媒流路ＩＬを構成する配管及び機器の仕様（容量及び型式等）や配置態様に応じて適宜選定される。
【０１３９】
（５−３）
上記実施形態では、圧力調整弁４５（「バイパス機構」に相当）は、圧力基準値以上の圧力を受けたときに冷媒を通過させる圧力感知機構を有している。これにより、特に簡単な構成にして圧力調整部４４を構成することが可能となっており、コスト増大が抑制されている。
【０１４０】
（５−４）
上記実施形態では、バイパス流路ＢＬは、室内側冷媒流路ＩＬ（「利用側冷媒流路」に相当）から室外側ガス冷媒流路ＯＬ１（熱源側第１冷媒流路に相当）へ延びる。室外側ガス冷媒流路ＯＬ１は、第１遮断弁（第１制御弁４１及び第２制御弁４２）と室外熱交換器２０（「熱源側熱交換器」に相当）との間に配置される冷媒流路である。
【０１４１】
これにより、空調システム１００において各第１遮断弁（４１、４２）及び第２遮断弁（４３）が同時に全閉状態となった場合であっても、室内側冷媒流路ＩＬ内の冷媒が室外側ガス冷媒流路ＯＬ１へバイパスされるようになっている。
【０１４２】
（５−５）
上記実施形態では、空調システム１００は、室内熱交換器３２（「利用側熱交換器」に相当）と第２遮断弁（第３制御弁４３）との間の冷媒流路に配置される室内膨張弁３１（「電動膨張弁」に相当）を備える。室内膨張弁３１は、開度に応じて通過する冷媒を減圧する。室内膨張弁３１は、第１遮断弁（第１制御弁４１及び第２制御弁４２）および第２遮断弁（第３制御弁４３）が全閉状態となった場合であっても、冷媒を通過させる。
【０１４３】
これにより、各第１遮断弁（４１、４２）及び第２遮断弁（４３）が同時に全閉状態となった場合であっても、室内ユニット３０内の室内膨張弁３１の状態に関わらず、室内側冷媒流路ＩＬ（「利用側冷媒流路」に相当）において冷媒の流れが遮断され液封回路が形成されることが抑制される。特に、施工現場において、第２制御弁４２と室内ユニット３０内の室内膨張弁３１との距離は大きくないことが一般的であることから、両者が同時に全閉状態となった場合には第２制御弁４２と室内膨張弁３１との間の室内側液冷媒流路ＩＬ２において液封回路が形成されやすいところ、係る態様で液封回路が形成されることが抑制されている。
【０１４４】
（５−６）
上記実施形態の空調システム１００は、冷媒を圧縮する圧縮機１５と、冷媒を貯留するアキュームレータ１４と、を備える。圧縮機１５は、室外熱交換器２０（「熱源側熱交換器」に相当）と第１遮断弁（第１制御弁４１及び第２制御弁４２）との間の冷媒流路に配置される。アキュームレータ１４は、圧縮機１５の吸入側に配置される。
【０１４５】
これにより、空調システム１００において各第１遮断弁（４１、４２）及び第２遮断弁（４３）が同時に全閉状態となった場合に、バイパスされた冷媒がアキュームレータ１４において貯留されるようになっている。よって、圧縮機１５に液冷媒が吸入される液バック現象が抑制されている。
【０１４６】
（５−７）
上記実施形態では、空調システム１００は、室外ユニット１０（「熱源ユニット」に相当）と、複数の室内ユニット３０（「利用ユニット」に相当）と、中間ユニット４０と、を備える。室外ユニット１０は、室外熱交換器２０（「熱源側熱交換器」に相当）を配置される。複数の室内ユニット３０は、室内熱交換器３２（「利用側熱交換器」に相当）をそれぞれ配置される。複数の室内ユニット３０は、室外ユニット１０に対して並列に配置される。中間ユニット４０は、ガス側冷媒流路ＧＬ及び液側冷媒流路ＬＬ上に配置される。ガス側冷媒流路ＧＬは、対応する室内ユニット３０と室外ユニット１０との間に配置される。液側冷媒流路ＬＬは、対応する室内ユニット３０と室外ユニット１０との間に配置される。中間ユニット４０は、対応する室内ユニット３０における冷媒の流れを切り換える。第１遮断弁（第１制御弁４１及び第２制御弁４２）は、中間ユニット４０に配置される。第２遮断弁（第３制御弁４３）は、中間ユニット４０に配置される。圧力調整部４４は、中間ユニット４０に配置される。
【０１４７】
これにより、室外ユニット１０及び各室内ユニット３０間に配置される冷媒流路（ガス側冷媒流路ＧＬ及び液側冷媒流路ＬＬ）上に配置される中間ユニット４０において、液封回路が形成されることが抑制されており、信頼性低下が抑制されている。
【０１４８】
（５−８）
上記実施形態では、ガス側冷媒流路ＧＬには、「ガス側分岐流路」（ＧＬ１、ＧＬ２）が複数含まれる。ガス側分岐流路（ＧＬ１、ＧＬ２）は、分岐して室外ユニット１０及びいずれかの室内ユニット３０間に配置される。「ガス側分岐流路」には、第１ガス側冷媒流路ＧＬ１（「第１ガス側分岐流路」に相当）と、第２ガス側冷媒流路ＧＬ２（「第２ガス側分岐流路」に相当）と、が含まれる。第１ガス側冷媒流路ＧＬ１は、低圧のガス冷媒が流れる。第２ガス側冷媒流路ＧＬ２は、第１ガス側冷媒流路ＧＬ１から分岐して室外ユニット１０まで延びる。第２ガス側冷媒流路ＧＬ２は、低圧／高圧のガス冷媒が流れる。第１遮断弁（第１制御弁４１及び第２制御弁４２）は、各ガス側分岐流路の第１ガス側冷媒流路ＧＬ１及び第２ガス側冷媒流路ＧＬ２のそれぞれに配置される。
【０１４９】
これにより、室外ユニット１０及び各室内ユニット３０間に配置される３つの冷媒流路（第１ガス側冷媒流路ＧＬ１、第２ガス側冷媒流路ＧＬ２、及び液側冷媒流路ＬＬ）上に中間ユニット４０が配置される場合においても、液封回路が形成されることが抑制されており、信頼性低下が抑制されている。
【０１５０】
（６）変形例
上記実施形態は、以下の変形例に示すように適宜変形が可能である。なお、各変形例は、矛盾が生じない範囲で他の変形例と組み合わせて適用されてもよい。
【０１５１】
（６−１）変形例１
上記実施形態では、バイパス流路ＢＬは、中間ユニット４０内における室内側液冷媒流路ＩＬ２から室外側ガス冷媒流路ＯＬ１に延びていた。すなわち、上記実施形態では、バイパス流路ＢＬを構成する第７配管Ｐ７は、中間ユニット４０内において室内側液冷媒流路ＩＬ２を構成する第１配管Ｐ１に接続されていた。しかし、バイパス流路ＢＬを構成する第７配管Ｐ７は、第１配管Ｐ１に接続されるとともに／接続されるのに代えて、中間ユニット４０外において室内側液冷媒流路ＩＬ２を構成する他の冷媒配管に接続されてもよい。
【０１５２】
例えば、第７配管Ｐ７は、対応室内ユニット３０まで延びる液側連絡管ＬＰ（室内側液冷媒流路ＩＬ２）に接続されていてもよい。また、例えば、第７配管Ｐ７は、対応室内ユニット３０における、室内膨張弁３１及び液側連絡管ＬＰ間を接続する冷媒配管（室内側液冷媒流路ＩＬ２）に接続されていてもよい。係る場合、バイパス流路ＢＬは、中間ユニット４０外の室内側液冷媒流路ＩＬ２から中間ユニット４０内の室外側ガス冷媒流路ＯＬ１に延びるように形成されることとなるが、上記（５−１）において説明した作用効果については実現されうる。
【０１５３】
（６−２）変形例２
上記実施形態では、バイパス流路ＢＬは、室内側液冷媒流路ＩＬ２から中間ユニット４０内における室外側ガス冷媒流路ＯＬ１に延びていた。すなわち、上記実施形態では、バイパス流路ＢＬを構成する第８配管Ｐ８は、中間ユニット４０内において室外側ガス冷媒流路ＯＬ１を構成する第４配管Ｐ４に接続されていた。しかし、バイパス流路ＢＬを構成する第８配管Ｐ８は、第４配管Ｐ４に接続されるとともに／接続されるのに代えて、室外側ガス冷媒流路ＯＬ１を構成する他の冷媒配管に接続されてもよい。
【０１５４】
例えば、第８配管Ｐ８は、図４に示される中間ユニット４００（４００ａ、４００ｂ、４００ｃ・・・）のように、中間ユニット４００内において室外側ガス冷媒流路ＯＬ１を構成する第６配管Ｐ６に接続されてもよい。係る場合、室内側液冷媒流路ＩＬ２の冷媒が第２ガス側冷媒流路ＧＬ２にバイパスされることとなるが、上記（５−１）において説明した作用効果については実現される。
【０１５５】
また、例えば、第８配管Ｐ８は、中間ユニット４０外において室外側ガス冷媒流路ＯＬ１を構成する第１連絡管５１又は第２連絡管５２に接続されてもよい。係る場合、室内側液冷媒流路ＩＬ２の冷媒が、中間ユニット４０外の室外側ガス冷媒流路ＯＬ１にバイパスされることとなるが、上記（５−１）において説明した作用効果については実現されうる。
【０１５６】
（６−３）変形例３
上記実施形態では、バイパス流路ＢＬは、室内側液冷媒流路ＩＬ２から室外側ガス冷媒流路ＯＬ１に延びていた。すなわち、上記実施形態では、バイパス流路ＢＬを構成する第８配管Ｐ８は、中間ユニット４０内において室外側冷媒流路ＯＬを構成する第４配管Ｐ４に接続されていた。しかし、バイパス流路ＢＬを構成する第８配管Ｐ８は、第４配管Ｐ４に接続されるとともに／接続されるのに代えて、室外側冷媒流路ＯＬを構成する他の冷媒配管に接続されてもよい。
【０１５７】
例えば、第８配管Ｐ８は、図５に示される中間ユニット５００（５００ａ、５００ｂ、５００ｃ・・・）のように、中間ユニット５００内において室外側液冷媒流路ＯＬ２を構成する第２配管Ｐ２に接続されてもよい。また、例えば、第８配管Ｐ８は、中間ユニット５００外において室外側液冷媒流路ＯＬ２を構成する第３連絡管５３に接続されてもよい。係る場合、バイパス流路ＢＬは、第２遮断弁（第３制御弁４３）と室外熱交換器２０（「熱源側熱交換器」に相当）との間に配置される室外側液冷媒流路ＯＬ２（「熱源側第２冷媒流路」に相当）へ延びることとなる。これにより、中間ユニット４０において各第１遮断弁（４１、４２）及び第２遮断弁（４３）が同時に全閉状態となった場合であっても、室内側冷媒流路ＩＬ（「利用側冷媒流路」に相当）内の冷媒が室外側液冷媒流路ＯＬ２へバイパスされる。すなわち、上記（５−１）において説明した作用効果について実現されうる。
【０１５８】
なお、係る場合、液側冷媒流路ＬＬにバイパスされることに関連して、バイパスした冷媒を貯留するレシーバを、室外ユニット１０内の所定位置（例えば液側配管Ｐｃ上）に配置することが好ましい。
【０１５９】
（６−４）変形例４
上記実施形態では、バイパス流路ＢＬは、室内側液冷媒流路ＩＬ２から室外側ガス冷媒流路ＯＬ１に延びていた。すなわち、上記実施形態では、バイパス流路ＢＬを構成する第７配管Ｐ７は、室内側液冷媒流路ＩＬ２を構成する第１配管Ｐ１に接続され、バイパス流路ＢＬを構成する第８配管Ｐ８は、室外側ガス冷媒流路ＯＬ１を構成する第４配管Ｐ４に接続されていた。しかし、圧力調整部４４は、係るバイパス流路ＢＬに代えて／バイパス流路ＢＬとともに、他の態様で構成されるバイパス流路を含んでいてもよい。
【０１６０】
例えば、図６に示される中間ユニット６００（６００ａ、６００ｂ、６００ｃ・・・）のように、第７配管Ｐ７´がガス側冷媒流路ＧＬ（第１ガス側冷媒流路ＧＬ１）及び室内側ガス冷媒流路ＩＬ１を構成する第３配管Ｐ３に接続されるとともに第８配管Ｐ８´が液側冷媒流路ＬＬ及び室外側液冷媒流路ＯＬ２を構成する第２配管Ｐ２に接続されることで構成されるバイパス流路ＢＬ´を含んでいてもよい。係る場合、バイパス流路ＢＬ´は、室内側ガス冷媒流路ＩＬ１から室外側液冷媒流路ＯＬ２に延びることとなり、室内側ガス冷媒流路ＩＬ１の冷媒が室外側液冷媒流路ＯＬ２（液側冷媒流路ＬＬ）にバイパスされることとなるが、係る態様でバイパスされた冷媒は室外ユニット１０の液側出入口（液側閉鎖弁１３）を介して回収されることとなる。バイパス流路ＢＬ´を設ける場合には、冷媒が液側冷媒流路ＬＬにバイパスされることに関連して、バイパスした冷媒を貯留するレシーバを、室外ユニット１０内の所定位置（例えば液側配管Ｐｃ上）に配置することが好ましい。
【０１６１】
なお、バイパス流路ＢＬ´において第７配管Ｐ７´は、室内側ガス冷媒流路ＩＬ１を構成する他の配管（例えば第５配管Ｐ５やガス側連絡管ＧＰ）に接続されてもよい。また、バイパス流路ＢＬ´において第８配管Ｐ８´は、室外側液冷媒流路ＯＬ２を構成する他の配管（例えば第３連絡管５３）に接続されてもよい。また、バイパス流路ＢＬ´において第８配管Ｐ８´は、室外側ガス冷媒流路ＯＬ１を構成する配管（例えば第４配管Ｐ４、第６配管Ｐ６、第１連絡管５１又は第２連絡管５２）に接続されてもよい。
【０１６２】
圧力調整部４４において係るバイパス流路ＢＬ´が構成されることで、室内側ガス冷媒流路ＩＬ１の冷媒が室外側冷媒流路ＯＬにバイパスされることとなり、上記（５−１）において説明した作用効果について実現されうる。
【０１６３】
（６−５）変形例５
上記実施形態における室内膨張弁３１については、必ずしも必要ではなく、図７に示されるように省略されてもよい。係る場合、第３制御弁４３に室内膨張弁３１（「電動膨張弁」）としての機能を担わせてもよい。係る場合においても上記（５−１）において説明した作用効果について実現されうる。
【０１６４】
（６−６）変形例６
図示は省略するが、上記実施形態における第３制御弁４３については、必ずしも必要ではなく省略されてもよい。係る場合、室内膨張弁３１については、閉状態の場合に冷媒の流れを遮断する全閉状態となるものを採用して、室内膨張弁３１に第３制御弁４３（「第２遮断弁」）としての機能を担わせればよい。また、係る場合において、図３、図４及び図５等に示すようにバイパス流路ＢＬが構成される時には、第７配管Ｐ７（バイパス配管）の一端は、室内膨張弁３１と室内熱交換器３２の間の冷媒流路に接続されればよい。係る場合においても上記（５−１）において説明した作用効果について実現されうる。
【０１６５】
（６−７）変形例７
上記実施形態では、室内膨張弁３１が、閉状態（最小開度）の場合に微小流路を形成する微開状態となる電動弁である場合について説明した。この点、室内側冷媒流路ＩＬにおいて液封回路が形成されることを抑制するという観点によれば、係る態様の電動弁が室内膨張弁３１として採用されることが好ましい。しかし、特に支障がない限り、室内膨張弁３１は、必ずしも係る態様の膨張弁でなくてもよい。すなわち、室内膨張弁３１は、最小開度の場合に冷媒の流れを遮断する全閉状態となるものであってもよい。
【０１６６】
係る場合に、室内膨張弁３１及び第３制御弁４３が同時に全閉状態となり室内膨張弁３１及び第３制御弁４３間の冷媒が圧力基準値以上の状態となったとしても、室内側液冷媒流路ＩＬ２内の冷媒が圧力調整部４４によって室外側ガス冷媒流路ＯＬ１にバイパスされるため、室内側液冷媒流路ＩＬ２を構成する機器や配管の破損が抑制される。
【０１６７】
また、係る場合、例えば図８に示すように、圧力調整部４４に代えて圧力調整部４４ａを配置することで、液封回路が形成されることがさらに確実に抑制される。圧力調整部４４ａは、バイパス流路ＢＬを形成するバイパス配管（Ｐ７、Ｐ８）に加えて第２バイパス流路ＢＬ２を形成する（Ｐ９、Ｐ１０）を含む。第２バイパス流路ＢＬ２は、室内側ガス冷媒流路ＩＬ１から、バイパス流路ＢＬの両端間の部分（より詳細には圧力調整弁４５よりも室外側ガス冷媒流路ＯＬ１側の部分）まで延びる。
【０１６８】
また、圧力調整部４４ａは、圧力調整弁４５に加えて第２圧力調整弁４６を含む。第２圧力調整弁４６は、圧力調整弁４５と同様の「バイパス機構」である。第２圧力調整弁４６は、第２バイパス流路ＢＬ２上に配置される。
【０１６９】
このような圧力調整部４４ａが圧力調整部４４に代えて配置されることで、液封回路が形成されることがさらに確実に抑制される。なお、係る場合、室内膨張弁３１については、運転停止時及び冷媒漏洩時に開状態に制御されてもよい。
【０１７０】
（６−８）変形例８
上記実施形態では、いずれかの室内ユニット３０と１対１に対応する複数の中間ユニット４０が、個別に配置されていた。しかし、中間ユニット４０の設置態様については、必ずしもこれに限定されない。
【０１７１】
例えば、各中間ユニット４０は、室内ユニット３０と、１対多、又は多対１に対応づけられるように、構成・配置されてもよい。
【０１７２】
また、例えば、図９及び図１０に示すように、複数（例えば、４台、８台或いは１６台等）の中間ユニット４０を集めて１つのケーシング内に収容した流路切換集合ユニット９０が、室外ユニット１０と各室内ユニット３０の間に配置されてもよい。係る流路切換集合ユニット９０（特許請求の範囲記載の「流路切換ユニット」に相当）では、ケーシング内において、複数の中間ユニット４０とともに、第１連絡管５１、第２連絡管５２及び第３連絡管５３の一部が収容される。係る場合、流路切換集合ユニット９０は、複数の室内ユニット３０である室内ユニット群（「利用ユニット群」）に対応する。
【０１７３】
なお、このような流路切換集合ユニット９０が配置される場合において、第３制御弁４３が省略される時には、図１１に示すように、冷媒漏洩が生じた時等に室外ユニット１０側から各室内ユニット３０へ冷媒が流れることを抑制すべく、各液側分岐流路ＬＬ１に共通の一の遮断弁７０（「第２遮断弁」に相当）が、各液側分岐部ＢＰ３よりも室外ユニット１０側に配置されてもよい。これに関連して、遮断弁７０が閉状態に制御された場合に液封回路が形成されることが抑制されるべく、バイパス流路ＢＬについても、図１１に示すように、第３連絡管５３に配置される第１バイパス部Ｂａから、第１連絡管５１に配置される第２バイパス部Ｂｂへ延びるように設けられればよい。第１バイパス部Ｂａは、各液側分岐部ＢＰ３よりも室外ユニット１０側であって、遮断弁７０よりも室内ユニット３０側に配置される。第２バイパス部Ｂｂは、各ガス側第１分岐部ＢＰ１よりも室外ユニット１０側に配置される。図１１においては、室内側液冷媒流路ＩＬ２は、遮断弁７０と、各室内熱交換器３２との間で延びる。
【０１７４】
図１１に示すような態様で冷媒回路ＲＣが構成されることでも、上記実施形態と同様の作用効果を実現しうる。また、中間ユニット４０毎に配置される第３制御弁４３が省略され、遮断弁７０が各液側分岐流路ＬＬ１に共通に配置されるとともに、圧力調整部４４が中間ユニット４０毎に配置されるのではなく中間ユニット４０毎に共通化されることで、回路を簡潔に構成することが可能となり、コスト抑制が可能となる。
【０１７５】
なお、遮断弁７０は、開度調整が可能な電動弁、又は開閉切換が可能な電磁弁である。
【０１７６】
（６−９）変形例９
上記実施形態では、室外ユニット１０と各中間ユニット４０とが３本の連絡管（５１、５２、５３）で接続されるいわゆる「３管式」の冷暖フリー回路（室内ユニット３０毎に冷房運転及び暖房運転を個別に切換可能な冷媒回路）である冷媒回路ＲＣについて説明した。しかし、必ずしも、室外ユニット１０及び各中間ユニット４０は３本の連絡管（５１、５２、５３）で接続される必要はない。例えば、冷媒回路ＲＣは、図１２に示される冷媒回路ＲＣ１のように構成されてもよい。
【０１７７】
冷媒回路ＲＣ１は、室外ユニット１０と流路切換集合ユニット９０´とが２本の連絡管で接続される「２管式」の冷暖フリー回路である。冷媒回路ＲＣ１においては、室外ユニット１０に代えて室外ユニット１０´が配置されている。室外ユニット１０´では、ガス側第２閉鎖弁１２、アキュームレータ１４、各流路切換弁１９及び過冷却熱交換器２７等の機器が省略されている。また、室外ユニット１０´では、四路切換弁１９ａが配置されている。また、室外ユニット１０´では、４つの逆止弁２９がブリッジ状に配置されている。
【０１７８】
冷媒回路ＲＣ１においては、流路切換集合ユニット９０´が配置されている。冷媒回路ＲＣ１においては、室外ユニット１０と流路切換集合ユニット９０´とが、２本の連絡管（第１連絡管５１及び第３連絡管５３）で接続されている。
【０１７９】
流路切換集合ユニット９０´では、冷媒を貯留し気液分離するレシーバ４８が配置されている。レシーバ４８は、第２連絡管５２に接続されている。レシーバ４８からは液側冷媒流路ＬＬ´と第２ガス側冷媒流路ＧＬ２´とが延びている。第１ガス側冷媒流路ＧＬ１´は第１連絡管５１に接続されている。また、冷媒回路ＲＣ１では、制御弁７５が液側冷媒流路ＬＬ´において各液側分岐部ＢＰ３よりも室外ユニット１０側に配置されている。また、冷媒回路ＲＣ１では、各バイパス流路ＢＬに加えて、液側冷媒流路ＬＬ´の各液側分岐部ＢＰ３より室外ユニット１０側の部分と、第１ガス側冷媒流路ＧＬ´の各ガス側第１分岐部ＢＰ１より室外ユニット１０側の部分と、を接続するバイパス流路ＢＬａが形成されている。バイパス流路ＢＬａ上には制御弁７６が配置されている。
【０１８０】
冷媒回路ＲＣ１のように「２管式」の冷暖フリー回路として構成される場合であっても、圧力調整部４４が適宜配置され、また制御弁７６が適宜開閉されることにより、上記実施形態同様、液封回路が構成されることが抑制される。
【０１８１】
（６−１０）変形例１０
冷媒回路ＲＣは、複数の中間ユニット４０が配置され各室内ユニット３０における冷媒の流れを個別に切り換え、室内ユニット３０毎に冷房運転と暖房運転とを個別に選択することが可能ないわゆる「冷暖フリー回路」として構成された。しかし、冷媒回路ＲＣは、必ずしも「冷暖フリー回路」として構成される必要はなく、図１３に示される冷媒回路ＲＣ２のように、各室内ユニット３０の冷房運転と暖房運転とが共通に切り換えられる、いわゆる「冷暖切換回路」（すなわち室内ユニット３０毎に冷房運転と暖房運転とを個別に切換できない冷媒回路）として構成されてもよい。
【０１８２】
冷媒回路ＲＣ２においては、室外ユニット１０に代えて室外ユニット１０ａが配置されている。室外ユニット１０ａでは、ガス側第２閉鎖弁１２及び各流路切換弁１９等の機器が省略されている。また、室外ユニット１０ａでは、四路切換弁１９ｂが配置されている。
【０１８３】
また、冷媒回路ＲＣ２においては、室内ユニット３０に代えて室内ユニット３０´（３０ａ´、３０ｂ´、３０ｃ´）が配置されている。
【０１８４】
また、冷媒回路ＲＣ２では、各中間ユニット４０が省略され、これに関連して、室外ユニット１０ａ及び各室内ユニット３０´間は、２本の連絡配管（ガス側連絡管ＧＰ及び液側連絡管ＬＰ）で接続されている。冷媒回路ＲＣ２では、ガス側連絡管ＧＰによって室外側ガス冷媒流路ＯＬ１が構成されており、液側連絡管ＬＰによって室外側液冷媒流路ＯＬ２が構成されている。冷媒回路ＲＣ２においては、室内膨張弁３１が「第２遮断弁」として機能する。
【０１８５】
室内ユニット３０´においては、室内熱交換器３２のガス側出入口とガス側連絡管ＧＰとの間に室内側制御弁３４が配置されている。室内側制御弁３４は、開度調整が可能な電動弁、又は開閉切換が可能な電磁弁である。冷媒回路ＲＣ２においては、室内側制御弁３４は、「第１遮断弁」として機能する。
【０１８６】
冷媒回路ＲＣ２においては、室内熱交換器３２のガス側と室内側制御弁３４との間に室内側ガス冷媒流路ＩＬ１が形成され、室内熱交換器３２の液側と室内膨張弁３１との間に室内側液冷媒流路ＩＬ２が形成されている。また、冷媒回路ＲＣ２においては、室内側制御弁３４と室外ユニット１０ａとの間で室外側ガス冷媒流路ＯＬ１が形成され、室内膨張弁３１と室外ユニット１０ａとの間に室外側液冷媒流路ＯＬ２が形成されている。
【０１８７】
冷媒回路ＲＣ２においては、室内ユニット３０´内において、圧力調整部４４´が配置されている。圧力調整部４４´では、バイパス流路ＢＬが室内側ガス冷媒流路ＩＬ１から室外側ガス冷媒流路ＯＬ１へ延びている。具体的に圧力調整部４４´は、バイパス流路ＢＬを形成するバイパス配管（第１１配管Ｐ１１と第１２配管Ｐ１２）を有している。バイパス流路ＢＬ上には、圧力調整弁４５が配置されている。
【０１８８】
冷媒回路ＲＣ２のように「冷暖切換回路」として構成される場合であっても、上記実施形態同様、圧力調整部４４´が図１３に示すように配置されることで液封回路が構成されることが抑制される。
【０１８９】
なお、冷媒回路ＲＣ２においては、バイパス流路ＢＬが室内側液冷媒流路ＩＬ２から室外側ガス冷媒流路ＯＬ１又は室外側液冷媒流路ＯＬ２へ延びるようにバイパス配管（Ｐ１１、Ｐ１２）が配置されてもよい。
【０１９０】
（６−１１）変形例１１
冷媒回路ＲＣ２は、図１４に示す冷媒回路ＲＣ３のように構成されてもよい。冷媒回路ＲＣ３では、室内ユニット３０´において、室内側制御弁３４及び圧力調整部４４´が省略されている。一方、冷媒回路ＲＣ３では、室外ユニット１０ａと各室内ユニット３０´との間に、複数（ここでは２つ）の遮断弁ユニット８０（第１遮断弁ユニット８１及び第２遮断弁ユニット８２）が配置されている。
【０１９１】
遮断弁ユニット８０は、複数の室内ユニット３０´（室内ユニット群）に対応し、冷媒の流れを遮断するためのユニットである。遮断弁ユニット８０は、分岐管と遮断弁が一体化されたユニットであり、予め組み立てられた状態で施工現場に搬入されて他の連絡配管と接合されることで、ガス側連絡管ＧＰ又は液側連絡管ＬＰの一部を構成する。遮断弁ユニット８０は、遮断弁８５と、圧力調整部４４´´とをそれぞれ有する。
【０１９２】
第１遮断弁ユニット８１は、ガス側連絡管ＧＰ（室外側ガス冷媒流路ＯＬ１）上に配置されている。第１遮断弁ユニット８１は、室外側ガス冷媒流路ＯＬ１上に配置されるガス側遮断弁８５ａ（「第１遮断弁」に相当）を有している。ガス側遮断弁８５ａは、開度調整が可能な電動弁、又は開閉切換が可能な電磁弁である。ガス側遮断弁８５ａは、ガス側連絡管ＧＰ上に構成される各ガス側第１分岐部ＢＰ１よりも室外ユニット１０側に配置されている。
【０１９３】
第２遮断弁ユニット８２は、液側連絡管ＬＰ（室外側液冷媒流路ＯＬ２）上に配置されている。第２遮断弁ユニット８２は、室外側液冷媒流路ＯＬ２上に配置される液側遮断弁８５ｂ（「第２遮断弁」に相当）を有している。液側遮断弁８５ｂは、開度調整が可能な電動弁、又は開閉切換が可能な電磁弁である。液側遮断弁８５ｂは、液側連絡管ＬＰに構成される各液側分岐部ＢＰ３よりも室外ユニット１０側に配置されている。
【０１９４】
冷媒回路ＲＣ３においては、遮断弁８５よりも室外ユニット１０側において、室外側ガス冷媒流路ＯＬ１及び室外側液冷媒流路ＯＬ２が形成されている。また、冷媒回路ＲＣ３においては、遮断弁８５よりも室内ユニット３０側において、室内側ガス冷媒流路ＩＬ１及び室内側液冷媒流路ＩＬ２が形成されている。
【０１９５】
冷媒回路ＲＣ３においては、遮断弁ユニット８０内において、圧力調整部４４´´が配置されている。圧力調整部４４´´では、バイパス流路ＢＬが室内側ガス冷媒流路ＩＬ１から室外側ガス冷媒流路ＯＬ１へ延びている。具体的に圧力調整部４４´´は、バイパス流路ＢＬを形成するバイパス配管（第１３配管Ｐ１３と第１４配管Ｐ１４）を有している。バイパス流路ＢＬ上には、圧力調整弁４５が配置されている。
【０１９６】
冷媒回路ＲＣ３のように「冷暖切換回路」として構成される場合であっても、上記実施形態同様、圧力調整部４４´´が図１４に示すように配置されることで、各遮断弁（８５ａ、８５ｂ）が閉状態となった時に液封回路が構成されることが抑制される。
【０１９７】
なお、冷媒回路ＲＣ３においては、各室内膨張弁３１を「第２遮断弁」として機能させることにより、液側遮断弁８５ｂを省略可能となる。すなわち、第２遮断弁ユニット８２については適宜省略されてもよい。
【０１９８】
また、冷媒回路ＲＣ３においては、第１遮断弁ユニット８１は、各室内ユニット３０に通じるガス側連絡管ＧＰに共通に配置されていた。しかし、第１遮断弁ユニット８１は、複数配置されてもよい。例えば第１遮断弁ユニット８１は、ガス側連絡管ＧＰのガス側第１分岐部ＢＰ１毎に配置されてもよい。すなわち、第１遮断弁ユニット８１は、各室内ユニット３０に対して１対１に配置されてもよい。また、第１遮断弁ユニット８１は、対応する室内ユニット３０に連通する室内側ガス冷媒流路ＩＬ１上に配置されてもよい。
【０１９９】
また、冷媒回路ＲＣ３においては、第２遮断弁ユニット８２は、各室内ユニット３０に通じる液側連絡管ＬＰに共通に配置されていた。しかし、第２遮断弁ユニット８２は、複数配置されてもよい。例えば第２遮断弁ユニット８２は、液側連絡管ＬＰの液側分岐部ＢＰ３毎に配置されてもよい。すなわち、第２遮断弁ユニット８２は、各室内ユニット３０に対して１対１に配置されてもよい。また、第２遮断弁ユニット８２は、対応する室内ユニット３０に連通する室内側液冷媒流路ＩＬ２上に配置されてもよい。
【０２００】
また、冷媒回路ＲＣ３においては、第１遮断弁ユニット８１及び第２遮断弁ユニット８２のそれぞれに圧力調整部４４´´が個別に配置されている。しかし、必ずしも第１遮断弁ユニット８１及び第２遮断弁ユニット８２の双方において圧力調整部４４´´が配置される必要はなく、第１遮断弁ユニット８１及び第２遮断弁ユニット８２の一方においては、圧力調整部４４´´は適宜省略されてもよい。
【０２０１】
（６−１２）変形例１２
上記実施形態では、圧力調整弁４５（「バイパス機構」に相当）が、一端側に加わる圧力基準値以上の圧力に応じて弁体が移動する圧力感知機構を有する機械式の自動膨張弁である場合について説明した。しかし、圧力調整弁４５は、室内側冷媒流路ＩＬにおける圧力基準値以上の冷媒を室外側冷媒流路ＯＬにバイパス可能な弁である限り、他の弁であってもよい。例えば、圧力調整弁４５は、最小開度の場合に冷媒を通過させる微小流路を形成する微開状態となる電動式の膨張弁が採用されてもよい。係る場合にも、室内側冷媒流路ＩＬ内の冷媒が、圧力調整弁４５の微小流路を介して室外側冷媒流路ＯＬへバイパスされることとなるため、上記（５−１）に記載の作用効果について実現されうる。
【０２０２】
（６−１３）変形例１３
上記実施形態では、第１制御弁４１、第２制御弁４２、及び第３制御弁４３が、開度調整可能であり最低開度の場合に冷媒の流れを遮断する全閉状態となる電動弁である場合について説明した。しかし、第１制御弁４１、第２制御弁４２、又は第３制御弁４３は、室外ユニット１０及び対応室内ユニット３０間における冷媒の流れを切換可能な弁である限り、他の弁であってもよい。例えば、第１制御弁４１、第２制御弁４２、又は第３制御弁４３は、駆動電圧を供給されることで開状態と全閉状態とが択一的に切り換わる電磁弁でもよい。
【０２０３】
また、例えば、第１制御弁４１、第２制御弁４２、又は第３制御弁４３は、最小開度の場合に冷媒を通過させる微小流路を形成する微開状態となる膨張弁が採用されてもよい。係る場合には、室内側冷媒流路ＩＬにおいて液封回路が形成されることがさらに抑制される。
【０２０４】
（６−１４）変形例１４
上記実施形態では、第１制御弁４１は、第１連絡管５１に連通する第１ガス側冷媒流路ＧＬ１（第２配管Ｐ２又は第３配管Ｐ３）上に配置された。しかし、これに限定されず、第１制御弁４１は、第１連絡管５１に配置されてもよい。
【０２０５】
また、上記実施形態では、第２制御弁４２は、第２連絡管５２に連通する第２ガス側冷媒流路ＧＬ２（第４配管Ｐ４又は第５配管Ｐ５）上に配置された。しかし、これに限定されず、第２制御弁４２は、第２連絡管５２に配置されてもよい。
【０２０６】
また、上記実施形態では、第３制御弁４３は、第３連絡管５３に連通する液側冷媒流路ＬＬ（第１配管Ｐ１又は第２配管Ｐ２）上に配置された。しかし、これに限定されず、第２制御弁４２は、第３連絡管５３に配置されてもよい。
【０２０７】
（６−１５）変形例１５
上記実施形態では、複数の流路切換弁１９（第１流路切換弁１６、第２流路切換弁１７、及び第３流路切換弁１８）が配置され、各流路切換弁１９が運転状態に応じて第１流路状態と第２流路状態とを切り換えられることで、冷媒回路ＲＣ内における冷媒の流れが切り換えられていた。しかし、これに限定されず、他の方法によって冷媒回路ＲＣ内における冷媒の流れを切り換えるように構成されてもよい。
【０２０８】
例えば、いずれかの流路切換弁１９（四路切換弁）に代えて、三方弁が配置されてもよい。また例えば、いずれかの流路切換弁１９に代えて、第１の弁（例えば電磁弁又は電動弁）及び第２の弁（例えば電磁弁又は電動弁）を配置し、第１の弁を開状態に制御するとともに第２の弁を全閉状態に制御することで上記実施形態において流路切換弁１９が第１流路状態にある場合に形成される冷媒流路が開通され、第１の弁を全閉状態に制御するとともに第２の弁を開状態に制御することで上記実施形態において流路切換弁１９が第２流路状態にある場合に形成された冷媒流路が開通されるように構成されてもよい。
【０２０９】
（６−１６）変形例１６
上記実施形態における冷媒回路ＲＣの回路構成や回路内に配置される機器については、本開示に係る思想の目的を達成するうえで支障が生じない限り、設置環境や設計仕様に応じて適宜変更が可能であり、一部の機器を省略してもよいし、他の機器を新たに追加してもよいし、新たな流路を含んでいてもよい。
【０２１０】
例えば、室外ユニット１０に配置される過冷却熱交換器２７については必ずしも必要ではなく、省略されてもよい。また、冷媒回路ＲＣには、冷媒を貯留するレシーバが必要に応じて適当な位置に（例えば液側配管Ｐｃ上に）配置されてもよい。また、冷媒回路ＲＣには、図１及び図２に示されない流路（例えば圧縮機１５へ中間圧冷媒をインジェクションするための流路）が含まれていてもよい。
【０２１１】
また、例えば、室内膨張弁３１については、必ずしも室内ユニット３０内に配置される必要はない。また、室内膨張弁３１については、必ずしも必要ではなく、対応する中間ユニット４０の第３制御弁４３に室内膨張弁３１の役割を担わせることで室内膨張弁３１を省略してもよい。
【０２１２】
（６−１７）変形例１７
上記実施形態では、室外ユニット１０は１台のみであった。しかし、室外ユニット１０は、各室内ユニット３０又は各中間ユニット４０に対して、直列又は並列に複数台配置されてもよい。
【０２１３】
（６−１８）変形例１８
上記実施形態では、本開示に係る思想が、空調システム１００に適用される場合について説明した。しかし、これに限定されず、本開示に係る思想は、上記実施形態の冷媒回路ＲＣに類似する冷媒回路を含む他の冷凍装置（例えば給湯器やチラー等）にも適用可能である。
【０２１４】
（６−１９）変形例１９
上記実施形態では、冷媒回路ＲＣを循環する冷媒の一例としてＲ３２を挙げた。しかし、冷媒回路ＲＣで用いられる冷媒は、特に限定されない。例えば、冷媒回路ＲＣでは、ＨＦＯ１２３４ｙｆ、ＨＦＯ１２３４ｚｅ（Ｅ）やこれらの冷媒の混合冷媒などが、Ｒ３２に代えて用いられてもよい。また、冷媒回路ＲＣでは、Ｒ４０７ＣやＲ４１０Ａ等のＨＦＣ系冷媒を用いられてもよい。
【０２１５】
（７）
以上、本発明の実施形態を説明したが、特許請求の範囲に記載された本発明の趣旨及び範囲から逸脱することなく、形態や詳細の多様な変更が可能なことが理解されるであろう。
【産業上の利用可能性】
【０２１６】
本開示は、冷凍装置に利用可能である。
【符号の説明】
【０２１７】
１０、１０´、１０ａ    ：室外ユニット（熱源ユニット）
１１    ：ガス側第１閉鎖弁
１２    ：ガス側第２閉鎖弁
１３    ：液側閉鎖弁
１４    ：アキュームレータ
１５    ：圧縮機
１６    ：第１流路切換弁
１７    ：第２流路切換弁
１８    ：第３流路切換弁
１９ａ、１９ｂ：四路切換弁
２０    ：室外熱交換器（熱源側熱交換器）
２１    ：第１室外熱交換器
２２    ：第２室外熱交換器
２３    ：第１室外制御弁
２４    ：第２室外制御弁
２５    ：第３室外制御弁
２６    ：第４室外制御弁
２７    ：過冷却熱交換器
２８    ：室外ファン
３０、３０´：室内ユニット（利用ユニット）
３１    ：室内膨張弁 （電動膨張弁、第２遮断弁）
３２    ：室内熱交換器（利用側熱交換器）
３３    ：室内ファン
３４    ：室内側制御弁（第１遮断弁）
４０、４００、５００、６００：中間ユニット（冷媒流路切換ユニット）
４１    ：第１制御弁（第１遮断弁）
４２    ：第２制御弁（第１遮断弁）
４３    ：第３制御弁（第２遮断弁）
４４、４４´、４４´´、４４ａ：圧力調整部
４５    ：圧力調整弁（バイパス機構）
４６    ：第２圧力調整弁（バイパス機構）
４８    ：レシーバ
５０    ：室外側連絡配管
５１    ：第１連絡管
５２    ：第２連絡管
５３    ：第３連絡管
６０    ：室内側連絡配管
７０    ：遮断弁（第２遮断弁）
７５、７６：制御弁
８０    ：遮断弁ユニット
８１    ：第１遮断弁ユニット
８２    ：第２遮断弁ユニット
８５    ：遮断弁
８５ａ  ：ガス側遮断弁（第１遮断弁）
８５ｂ  ：液側遮断弁（第２遮断弁）
９０、９０´：流路切換集合ユニット（冷媒流路切換ユニット）
１００  ：空調システム（冷凍装置）
２７１  ：第１流路
２７２  ：第２流路
ＢＬ、ＢＬ´、ＢＬａ  ：バイパス流路
ＢＬ２  ：第２バイパス流路
ＢＰ１  ：ガス側第１分岐部
ＢＰ２  ：ガス側第２分岐部
ＢＰ３  ：液側分岐部
ＧＬ    ：ガス側冷媒流路
ＧＬ１、ＧＬ１´：第１ガス側冷媒流路（ガス側分岐流路、ガス側第１分岐流路）
ＧＬ２、ＧＬ２´：第２ガス側冷媒流路（ガス側分岐流路、ガス側第２分岐流路）
ＧＰ    ：ガス側連絡管      
ＩＬ    ：室内側冷媒流路（利用側冷媒流路）
ＩＬ１  ：室内側ガス冷媒流路
ＩＬ２  ：室内側液冷媒流路
ＬＬ    ：液側冷媒流路
ＬＬ１  ：液側分岐流路
ＬＰ    ：液側連絡管
ＯＬ    ：室外側冷媒流路（熱源側冷媒流路）
ＯＬ１  ：室外側ガス冷媒流路
ＯＬ２  ：室外側液冷媒流路
Ｐ１―Ｐ６  ：第１配管−第６配管
Ｐ７、Ｐ７´  ：第７配管（バイパス配管）
Ｐ８、Ｐ８´  ：第８配管（バイパス配管）
Ｐ１１      ：第１１配管（バイパス配管）
Ｐ１２      ：第１２配管（バイパス配管）
Ｐ１３      ：第１３配管（バイパス配管）
Ｐ１４      ：第１４配管（バイパス配管）
Ｐａ    ：吸入配管
Ｐｂ    ：吐出配管
Ｐｃ    ：液側配管
ＲＣ、ＲＣ１、ＲＣ２、ＲＣ３：冷媒回路
【先行技術文献】
【特許文献】
【０２１８】
【特許文献１】特許５５１７７８９号公報
【図１】
0006528909.tif 000002
【図２】
0006528909.tif 000003
【図３】
0006528909.tif 000004
【図４】
0006528909.tif 000005
【図５】
0006528909.tif 000006
【図６】
0006528909.tif 000007
【図７】
0006528909.tif 000008
【図８】
0006528909.tif 000009
【図９】
0006528909.tif 000010
【図１０】
0006528909.tif 000011
【図１１】
0006528909.tif 000012
【図１２】
0006528909.tif 000013
【図１３】
0006528909.tif 000014
【図１４】
0006528909.tif 000015